(57)【要約】  ワイヤレス通信のための方法、システム、およびデバイスが説明される。方法は、無線リソース制御（ＲＲＣ）接続状態から外れている間に、ブロードキャスト情報を搬送する物理ダウンリンク共有チャネル（ＰＤＳＣＨ）を送信するために使用されるダウンリンクシンボルの長さの指示を基地局から受信することと、指示に基づいてＰＤＳＣＨを復号することとを含み得る。別の方法は、ＲＲＣ接続状態から外れている間に、複数のダウンリンクシンボルにわたって、ブロードキャスト情報を搬送するＰＤＳＣＨを基地局から受信することと、複数のダウンリンクシンボルの第１のセットにわたってＰＤＳＣＨの第１のブラインド復号を実行することと、複数のダウンリンクシンボルの第２のセットの間にＰＤＳＣＨの第２のブラインド復号を実行することと、第２のセットの長さが第１のセットとは異なる、を含み得る。
2020537406.tif 000002
【特許請求の範囲】
【請求項１】
ワイヤレス通信のための方法であって、
ブロードキャスト情報を搬送する物理ダウンリンク共有チャネル（ＰＤＳＣＨ）を送信するために使用されるダウンリンクシンボルの長さの指示を、無線リソース制御（ＲＲＣ）接続状態から外れている間に、基地局から受信することと、前記長さが、開始ダウンリンクシンボルインデックスから終了ダウンリンクシンボルインデックスまでである、
前記指示に少なくとも部分的に基づいて、前記ＰＤＳＣＨを復号することと
を備える方法。
【請求項２】
前記ブロードキャスト情報が、残りの最小システム情報（ＲＭＳＩ）もしくは他のシステム情報（ＯＳＩ）、またはその両方を備える、請求項１に記載の方法。
【請求項３】
前記長さが、ダウンリンクシンボルの固定長である、請求項１に記載の方法。
【請求項４】
ダウンリンク制御情報（ＤＣＩ）を前記基地局から受信すること、ここにおいて、前記基地局によって前記ＰＤＳＣＨを送信するために使用されるダウンリンクシンボルの前記長さの前記指示が、前記ＤＣＩ内で受信される
をさらに備える、請求項１に記載の方法。
【請求項５】
前記ＤＣＩ内で受信されたＤＣＩフィールド内のビット値に少なくとも部分的に基づいて、前記ＰＤＳＣＨを送信するために使用されるダウンリンクシンボルの前記長さを識別すること、ここにおいて、復調基準信号（ＤＭＲＳ）パターンが、前記ＤＣＩフィールド内の前記ビット値に関連付けられる
をさらに備える、請求項４に記載の方法。
【請求項６】
前記基地局から物理ブロードキャストチャネル（ＰＢＣＨ）上でマスタ情報ブロック（ＭＩＢ）内で制御情報を受信することと、
前記ＭＩＢ内の前記制御情報に少なくとも部分的に基づいて、前記ＰＤＳＣＨの前記開始ダウンリンクシンボルインデックスを決定することと、
前記基地局から物理ダウンリンク制御チャネル（ＰＤＣＣＨ）上でＤＣＩ内で制御情報を受信することに少なくとも部分的に基づいて、前記ＰＤＳＣＨの前記終了ダウンリンクシンボルインデックスを決定することと、ここにおいて、前記ＰＤＳＣＨを復号することが、前記開始ダウンリンクシンボルインデックスおよび前記終了ダウンリンクシンボルインデックスに少なくとも部分的に基づく
をさらに備える、請求項１に記載の方法。
【請求項７】
前記ＰＤＳＣＨを送信するために使用されるダウンリンクシンボルの前記長さの前記指示が、前記ＵＥと前記基地局との間の無線リソース制御（ＲＲＣ）構成手順の前に受信される、請求項１に記載の方法。
【請求項８】
ワイヤレス通信のための方法であって、
ユーザ機器（ＵＥ）が無線リソース制御（ＲＲＣ）接続状態から外れている間に、ブロードキャスト情報を前記ＵＥに搬送する物理ダウンリンク共有チャネル（ＰＤＳＣＨ）を送信するために使用されるダウンリンクシンボルの長さを識別することと、前記長さが、開始ダウンリンクシンボルインデックスから終了ダウンリンクシンボルインデックスまでである、
前記ＵＥに前記指示を送信することと
を備える方法。
【請求項９】
前記ブロードキャスト情報が、残りの最小システム情報（ＲＭＳＩ）もしくは他のシステム情報（ＯＳＩ）、またはその両方を備える、請求項８に記載の方法。
【請求項１０】
物理ブロードキャストチャネル（ＰＢＣＨ）上でマスタ情報ブロック（ＭＩＢ）内で制御情報を送信することに少なくとも部分的に基づいて、前記開始ダウンリンクシンボルインデックスの指示を前記ＵＥに提供すること
をさらに備える、請求項８に記載の方法。
【請求項１１】
事前構成された規則に少なくとも部分的に基づいて、前記ブロードキャスト情報を搬送する前記ＰＤＳＣＨの送信のためのダウンリンクシンボルのセットを割り当てることと、
ダウンリンクシンボルの前記割り当てられたセットに少なくとも部分的に基づいて、前記ＰＤＳＣＨをスケジュールすることと
をさらに備える、請求項８に記載の方法。
【請求項１２】
ダウンリンクシンボルの前記割り当てられたセットが、ＲＭＳＩまたはＯＳＩを搬送する前記ＰＤＳＣＨに少なくとも部分的に基づいて可変である、請求項１１に記載の方法。
【請求項１３】
フレームのスロットに関連する複数のダウンリンクシンボルを識別することと、
前記識別された複数のダウンリンクシンボルがダウンリンクシンボルの前記割り当てられたセットを満たすと決定することと、ここにおいて、前記ＰＤＳＣＨをスケジュールすることが、前記スロットに関連する前記識別された複数のダウンリンクシンボルが前記ＰＤＳＣＨを送信するために使用される複数のダウンリンクシンボルの前記割り当てられたセットを満たすことに少なくとも部分的に基づく
をさらに備える、請求項１１に記載の方法。
【請求項１４】
前記識別された複数のダウンリンクシンボルがダウンリンクシンボルの前記割り当てられたセットを下回ると決定することと、
前記スロットの間に前記ＰＤＳＣＨをスケジュールすることを控えることと
をさらに備える、請求項１３に記載の方法。
【請求項１５】
前記識別された複数のダウンリンクシンボルがダウンリンクシンボルの前記割り当てられたセットを上回ると決定することと、
前記スロットに関連する未使用のダウンリンクシンボルのセットを切り捨てることと、ここにおいて、前記ＰＤＳＣＨをスケジュールすることが、前記切り捨てることに少なくとも部分的に基づく
をさらに備える、請求項１３に記載の方法。
【請求項１６】
前記スロットに関連する未使用のダウンリンクシンボルの前記セットをパンクチャリングすること
をさらに備える、請求項１５に記載の方法。
【請求項１７】
前記ブロードキャスト情報を搬送する前記ＰＤＳＣＨの送信のためのダウンリンクシンボルの最小セットを決定することと、
前記ブロードキャスト情報を搬送する前記ＰＤＳＣＨの送信のためのダウンリンクシンボルの最大セットを決定することと
をさらに備える、請求項１１に記載の方法。
【請求項１８】
物理ダウンリンク制御チャネル（ＰＤＣＣＨ）上で、ダウンリンク制御情報（ＤＣＩ）内でダウンリンクシンボルの前記長さの前記指示を送信すること
をさらに備える、請求項８に記載の方法。
【請求項１９】
事前構成された規則に少なくとも部分的に基づいて、ブロードキャスト情報を搬送する前記ＰＤＳＣＨを送信するために使用されるダウンリンクシンボルの前記長さを決定することと、
ＤＣＩのＤＣＩフィールドに関連するビット値を割り当てることと、前記ビット値が、ダウンリンクシンボルの前記長さを指示する
をさらに備える、請求項８に記載の方法。
【請求項２０】
ワイヤレス通信のための方法であって、
複数のダウンリンクシンボルにわたって、無線リソース制御（ＲＲＣ）接続状態から外れている間に物理ダウンリンク共有チャネル（ＰＤＳＣＨ）を基地局から受信することと、前記ＰＤＳＣＨがブロードキャスト情報を搬送する、
前記複数のダウンリンクシンボルの第１のセットにわたって前記ＰＤＳＣＨの第１のブラインド復号を実行することと、
前記複数のダウンリンクシンボルの第２のセットの間に前記ＰＤＳＣＨの第２のブラインド復号を実行することと、前記第２のセットの長さが前記第１のセットとは異なる
を備える方法。
【請求項２１】
事前構成された規則に少なくとも部分的に基づいて、前記複数のダウンリンクシンボルの前記第１のセットまたは前記複数のダウンリンクシンボルの前記第２のセットを選択すること
をさらに備える、請求項２０に記載の方法。
【請求項２２】
前記事前構成された規則が、前記複数のダウンリンクシンボルの最小ダウンリンクシンボル数または最大ダウンリンクシンボル数を備える、請求項２１に記載の方法。
【請求項２３】
前記最小ダウンリンクシンボル数もしくは前記最大ダウンリンクシンボル数、またはその両方が、ダウンリンク制御情報（ＤＣＩ）内に指示される、請求項２２に記載の方法。
【請求項２４】
前記最小ダウンリンクシンボル数もしくは前記最大ダウンリンクシンボル数、またはその両方が、事前定義される、請求項２２に記載の方法。
【請求項２５】
前記ＰＤＳＣＨのコーディングされたビットが前記最小ダウンリンクシンボル数内であることに少なくとも部分的に基づいて、前記ＰＤＳＣＨの前記コーディングされたビットのＬＬＲのソフト合成を実行すること
をさらに備える、請求項２２に記載の方法。
【請求項２６】
前記事前構成された規則に少なくとも部分的に基づいて、前記複数のダウンリンクシンボルの前記第１のセットを選択すること、ここにおいて、前記ＰＤＳＣＨの前記ブラインド復号を実行することが、前記複数のダウンリンクシンボルの前記選択された第１のセットに少なくとも部分的に基づく
をさらに備える、請求項２１に記載の方法。
【請求項２７】
前記事前構成された規則に少なくとも部分的に基づいて、前記複数のダウンリンクシンボルの前記第２のセットを選択すること、ここにおいて、前記ＰＤＳＣＨの前記ブラインド復号を実行することが、前記複数のダウンリンクシンボルの前記選択された第２のセットに少なくとも部分的に基づく
をさらに備える、請求項２１に記載の方法。
【請求項２８】
前記ブロードキャスト情報が、残りの最小システム情報（ＲＭＳＩ）もしくは他のシステム情報（ＯＳＩ）、またはその両方を備える、請求項２０に記載の方法。
【請求項２９】
ワイヤレス通信のための装置であって、
ブロードキャスト情報を搬送する物理ダウンリンク共有チャネル（ＰＤＳＣＨ）を送信するために使用されるダウンリンクシンボルの長さの指示を、無線リソース制御（ＲＲＣ）接続状態から外れている間に、基地局から受信するための手段と、前記長さが、開始ダウンリンクシンボルインデックスから終了ダウンリンクシンボルインデックスまでである、
前記指示に少なくとも部分的に基づいて、前記ＰＤＳＣＨを復号するための手段と
を備える装置。
【請求項３０】
前記長さが、ダウンリンクシンボルの固定長である、請求項２９に記載の装置。
【請求項３１】
ダウンリンク制御情報（ＤＣＩ）を前記基地局から受信するための手段、ここにおいて、前記基地局によって前記ＰＤＳＣＨを送信するために使用されるダウンリンクシンボルの前記長さの前記指示が、前記ＤＣＩ内で受信される
をさらに備える、請求項２９に記載の装置。
【請求項３２】
前記ＤＣＩ内で受信されたＤＣＩフィールド内のビット値に少なくとも部分的に基づいて、前記ＰＤＳＣＨを送信するために使用されるダウンリンクシンボルの前記長さを識別するための手段、ここにおいて、復調基準信号（ＤＭＲＳ）パターンが、前記ＤＣＩフィールド内の前記ビット値に関連付けられる
をさらに備える、請求項３１に記載の装置。
【請求項３３】
前記基地局から、物理ブロードキャストチャネル（ＰＢＣＨ）上で、マスタ情報ブロック（ＭＩＢ）内で制御情報を受信するための手段と、
前記ＭＩＢ内の前記制御情報に少なくとも部分的に基づいて、前記ＰＤＳＣＨの前記開始ダウンリンクシンボルインデックスを決定するための手段と、
前記基地局から、物理ダウンリンク制御チャネル（ＰＤＣＣＨ）上で、ＤＣＩ内で制御情報を受信することに少なくとも部分的に基づいて、前記ＰＤＳＣＨの前記終了ダウンリンクシンボルインデックスを決定するための手段と、ここにおいて、前記ＰＤＳＣＨを復号することが、前記開始ダウンリンクシンボルインデックスおよび前記終了ダウンリンクシンボルインデックスに少なくとも部分的に基づく
をさらに備える、請求項２９に記載の装置。
【請求項３４】
前記ＰＤＳＣＨを送信するために使用されるダウンリンクシンボルの前記長さの前記指示が、前記ＵＥと前記基地局との間の無線リソース制御（ＲＲＣ）構成手順の前に受信される、請求項２９に記載の装置。
【請求項３５】
ワイヤレス通信のための装置であって、
ユーザ機器（ＵＥ）が無線リソース制御（ＲＲＣ）接続状態から外れている間に、前記ＵＥにブロードキャスト情報を搬送する物理ダウンリンク共有チャネル（ＰＤＳＣＨ）を送信するために使用されるダウンリンクシンボルの長さを識別するための手段と、前記長さが、開始ダウンリンクシンボルインデックスから終了ダウンリンクシンボルインデックスまでである、
前記ＵＥに前記指示を送信するための手段と
を備える装置。
【請求項３６】
前記ブロードキャスト情報が、残りの最小システム情報（ＲＭＳＩ）もしくは他のシステム情報（ＯＳＩ）、またはその両方を備える、請求項３５に記載の装置。
【請求項３７】
物理ブロードキャストチャネル（ＰＢＣＨ）上で、マスタ情報ブロック（ＭＩＢ）内で制御情報を送信することに少なくとも部分的に基づいて、前記開始ダウンリンクシンボルインデックスの指示を前記ＵＥに提供するための手段
をさらに備える、請求項３５に記載の装置。
【請求項３８】
事前構成された規則に少なくとも部分的に基づいて、前記ブロードキャスト情報を搬送する前記ＰＤＳＣＨの送信のためのダウンリンクシンボルのセットを割り当てるための手段と、
ダウンリンクシンボルの前記割り当てられたセットに少なくとも部分的に基づいて、前記ＰＤＳＣＨをスケジュールするための手段と
をさらに備える、請求項３５に記載の装置。
【請求項３９】
ダウンリンクシンボルの前記割り当てられたセットが、ＲＭＳＩまたはＯＳＩを搬送する前記ＰＤＳＣＨに少なくとも部分的に基づいて可変である、請求項３８に記載の装置。
【請求項４０】
フレームのスロットに関連する複数のダウンリンクシンボルを識別するための手段と、
前記識別された複数のダウンリンクシンボルがダウンリンクシンボルの前記割り当てられたセットを満たすと決定するための手段と、ここにおいて、前記ＰＤＳＣＨをスケジュールすることが、前記スロットに関連する前記識別された複数のダウンリンクシンボルが前記ＰＤＳＣＨを送信するために使用される複数のダウンリンクシンボルの前記割り当てられたセットを満たすことに少なくとも部分的に基づく
をさらに備える、請求項３８に記載の装置。
【請求項４１】
前記識別された複数のダウンリンクシンボルがダウンリンクシンボルの前記割り当てられたセットを下回ると決定するための手段と、
前記スロットの間に前記ＰＤＳＣＨをスケジュールすることを控えるための手段と
をさらに備える、請求項４０に記載の装置。
【請求項４２】
前記識別された複数のダウンリンクシンボルがダウンリンクシンボルの前記割り当てられたセットを上回ると決定するための手段と、
前記スロットに関連する未使用のダウンリンクシンボルのセットを切り捨てるための手段と、ここにおいて、前記ＰＤＳＣＨをスケジュールすることが、前記切り捨てることに少なくとも部分的に基づく
をさらに備える、請求項４０に記載の装置。
【請求項４３】
前記スロットに関連する未使用のダウンリンクシンボルの前記セットをパンクチャリングするための手段
をさらに備える、請求項４２に記載の装置。
【請求項４４】
前記ブロードキャスト情報を搬送する前記ＰＤＳＣＨの送信のためのダウンリンクシンボルの最小セットを決定するための手段と、
前記ブロードキャスト情報を搬送する前記ＰＤＳＣＨの送信のためのダウンリンクシンボルの最大セットを決定するための手段と
をさらに備える、請求項３８に記載の装置。
【請求項４５】
物理ダウンリンク制御チャネル（ＰＤＣＣＨ）上で、ダウンリンク制御情報（ＤＣＩ）内でダウンリンクシンボルの前記長さの前記指示を送信するための手段
をさらに備える、請求項３５に記載の装置。
【請求項４６】
事前構成された規則に少なくとも部分的に基づいて、ブロードキャスト情報を搬送する前記ＰＤＳＣＨを送信するために使用されるダウンリンクシンボルの前記長さを決定するための手段と、
ＤＣＩのＤＣＩフィールドに関連するビット値を割り当てるための手段と、前記ビット値が、ダウンリンクシンボルの前記長さを指示する
をさらに備える、請求項３５に記載の装置。
【請求項４７】
ワイヤレス通信のための装置であって、
無線リソース制御（ＲＲＣ）接続状態から外れている間に、複数のダウンリンクシンボルにわたって、物理ダウンリンク共有チャネル（ＰＤＳＣＨ）を基地局から受信するための手段と、前記ＰＤＳＣＨがブロードキャスト情報を搬送する、
前記複数のダウンリンクシンボルの第１のセットにわたって前記ＰＤＳＣＨの第１のブラインド復号を実行するための手段と、
前記複数のダウンリンクシンボルの第２のセットの間に前記ＰＤＳＣＨの第２のブラインド復号を実行するための手段と、前記第２のセットの長さが前記第１のセットとは異なる
を備える装置。
【請求項４８】
ワイヤレス通信のための装置であって、
プロセッサと、
前記プロセッサと電子通信しているメモリと、
前記メモリ内に記憶された命令とを備え、前記命令が、前記装置に、
ブロードキャスト情報を搬送する物理ダウンリンク共有チャネル（ＰＤＳＣＨ）を送信するために使用されるダウンリンクシンボルの長さの指示を、無線リソース制御（ＲＲＣ）接続状態から外れている間に、基地局から受信することと、前記長さが、開始ダウンリンクシンボルインデックスから終了ダウンリンクシンボルインデックスまでである、
前記指示に少なくとも部分的に基づいて、前記ＰＤＳＣＨを復号することと
を行わせるように、前記プロセッサによって実行可能な装置。
【請求項４９】
前記ブロードキャスト情報が、残りの最小システム情報（ＲＭＳＩ）もしくは他のシステム情報（ＯＳＩ）、またはその両方を備える、請求項４８に記載の装置。
【請求項５０】
ワイヤレス通信のための装置であって、
プロセッサと、
前記プロセッサと電子通信しているメモリと、
前記メモリ内に記憶された命令とを備え、前記命令が、前記装置に、
ユーザ機器（ＵＥ）が無線リソース制御（ＲＲＣ）接続状態から外れている間に、前記ＵＥにブロードキャスト情報を搬送する物理ダウンリンク共有チャネル（ＰＤＳＣＨ）を送信するために使用されるダウンリンクシンボルの長さを識別することと、前記長さが、開始ダウンリンクシンボルインデックスから終了ダウンリンクシンボルインデックスまでである、
前記指示を前記ＵＥに送信することと
を行わせるように、前記プロセッサによって実行可能な装置。
【請求項５１】
ワイヤレス通信のための装置であって、
プロセッサと、
前記プロセッサと電子通信しているメモリと、
前記メモリ内に記憶された命令とを備え、前記命令が、前記装置に、
無線リソース制御（ＲＲＣ）接続状態から外れている間に、複数のダウンリンクシンボルにわたって、物理ダウンリンク共有チャネル（ＰＤＳＣＨ）を基地局から受信することと、前記ＰＤＳＣＨがブロードキャスト情報を搬送する、
前記複数のダウンリンクシンボルの第１のセットにわたって前記ＰＤＳＣＨの第１のブラインド復号を実行することと、
前記複数のダウンリンクシンボルの第２のセットの間に前記ＰＤＳＣＨの第２のブラインド復号を実行することと、前記第２のセットの長さが前記第１のセットとは異なる
を行わせるように、前記プロセッサによって実行可能な装置。
【請求項５２】
ワイヤレス通信のためのコードを記憶している非一時的コンピュータ可読媒体であって、前記コードが、
ブロードキャスト情報を搬送する物理ダウンリンク共有チャネル（ＰＤＳＣＨ）を送信するために使用されるダウンリンクシンボルの長さの指示を、無線リソース制御（ＲＲＣ）接続状態から外れている間に、基地局から受信することと、前記長さが、開始ダウンリンクシンボルインデックスから終了ダウンリンクシンボルインデックスまでである、
前記指示に少なくとも部分的に基づいて、前記ＰＤＳＣＨを復号することと
を行うように、プロセッサによって実行可能な命令を備える、非一時的コンピュータ可読媒体。
【請求項５３】
ワイヤレス通信のためのコードを記憶している非一時的コンピュータ可読媒体であって、前記コードが、
ユーザ機器（ＵＥ）が無線リソース制御（ＲＲＣ）接続状態から外れている間に、前記ＵＥにブロードキャスト情報を搬送する物理ダウンリンク共有チャネル（ＰＤＳＣＨ）を送信するために使用されるダウンリンクシンボルの長さを識別することと、前記長さが、開始ダウンリンクシンボルインデックスから終了ダウンリンクシンボルインデックスまでである、
前記指示を前記ＵＥに送信することと
を行うように、プロセッサによって実行可能な命令を備える、非一時的コンピュータ可読媒体。
【請求項５４】
ワイヤレス通信のためのコードを記憶している非一時的コンピュータ可読媒体であって、前記コードが、
無線リソース制御（ＲＲＣ）接続状態から外れている間に、複数のダウンリンクシンボルにわたって、物理ダウンリンク共有チャネル（ＰＤＳＣＨ）を基地局から受信することと、前記ＰＤＳＣＨがブロードキャスト情報を搬送する、
前記複数のダウンリンクシンボルの第１のセットにわたって前記ＰＤＳＣＨのブラインド復号を実行することと、
前記複数のダウンリンクシンボルの第２のセットの間に前記ＰＤＳＣＨのブラインド復号を実行することと、前記第２のセットの長さが前記第１のセットとは異なる
を行うように、プロセッサによって実行可能な命令を備える、非一時的コンピュータ可読媒体。
【発明の詳細な説明】
【技術分野】
【０００１】
相互参照
[0001]  本特許出願は、その各々が本明細書の譲受人に譲渡され、その全体が参照により明示的に組み込まれている、２０１８年９月１１日に出願した、「Ｒａｔｅ  Ｍａｔｃｈｉｎｇ  ｆｏｒ  Ｂｒｏａｄｃａｓｔ  Ｃｈａｎｎｅｌｓ」と題する、Ｓｕｎらによる米国特許出願第１６／１２８，４０５号、および２０１７年１０月９日に出願した「Ｒａｔｅ  Ｍａｒｃｈｉｎｇ  ｆｏｒ  Ｂｒｏａｄｃａｓｔ  Ｃｈａｎｎｅｌｓ」と題する、Ｓｕｎらによるギリシャ特許出願第２０１７０１００４６４号の優先権を主張する。
【背景技術】
【０００２】
[0002]  以下は、一般にワイヤレス通信（wireless communication）およびブロードキャストチャネル（broadcast channel）のためのレートマッチング（rate matching）に関する。
【０００３】
[0003]  ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例は、ロングタームエボリューション（ＬＴＥ（登録商標））システムまたはＬＴＥ−アドバンスト（ＬＴＥ−Ａ）システムなどの第４世代（４Ｇ）システムと、新無線（ＮＲ：New Radio）システムと呼ばれることがある第５世代（５Ｇ）システムとを含む。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、または離散フーリエ変換拡散直交周波数分割多元接続（ＯＦＤＭ）（ＤＦＴ−ｓ−ＯＦＤＭ）などの技術を採用し得る。ワイヤレス多元接続通信システムは、場合によってはユーザ機器（ＵＥ：user equipment）として知られていることがある、複数の通信デバイスのための通信を各々が同時にサポートする、いくつかの基地局（base station）またはネットワークアクセスノードを含み得る。
【０００４】
[0004]  ワイヤレス通信システムは、ミリメートル波（ｍｍＷ：millimeter wave）周波数範囲（たとえば、２８ＧＨｚ、４０ＧＨｚ、６０ＧＨｚなど）で動作し得る。場合によっては、基地局およびＵＥからの送信はビームフォーミングされ得る。すなわち、基地局とＵＥとの間のワイヤレス通信は、送信または受信のためにビームまたはビームフォーミングされた信号を使用し得る。基地局は、ビームフォーミングされた信号を１つまたは複数のダウンリンク送信ビーム上で送信することができ、ＵＥは、１つまたは複数のダウンリンク受信ビーム上で信号を受信することができる。同様に、ＵＥは、ビームフォーミングされた信号を１つまたは複数のアップリンク送信ビーム上で送信することができ、基地局は、ビームフォーミングされた信号を１つまたは複数のアップリンク受信ビーム上で受信することができる。
【発明の概要】
【０００５】
[0005]  説明する技法は、ブロードキャストチャネルのためのレートマッチングをサポートする、改善された方法、システム、デバイス、または装置に関する。概して、説明する技法は、基地局（たとえば、次世代ＮｏｄｅＢ（ｇＮＢ））が、ユーザ機器（ＵＥ）が監視するのに適切なリソース（たとえば、開始ダウンリンクシンボルインデックス（starting downlink symbol index）から終了ダウンリンクシンボルインデックス（ending downlink symbol index）までのダウンリンクシンボル（downlink symbol）の長さ（length））をＵＥに指示することを可能にする。ＵＥは、ブロードキャストチャネル（たとえば、物理ダウンリンク共有チャネル（ＰＤＳＣＨ：physical downlink shared channel））上で追加のブロードキャスト情報（broadcast information）（たとえば、残りの最小システム情報（ＲＭＳＩ：remaining minimum system information）または他のシステム情報（ＯＳＩ：other system information））を基地局から受信することができる。具体的には、基地局は、ＵＥが無線リソース制御（ＲＲＣ：radio resource control）接続状態（connected state）から外れている間に、ブロードキャスト情報を搬送するＰＤＳＣＨを送信するために使用されるダウンリンクシンボルの長さをＵＥに送信することができる。ＵＥは、指示されたダウンリンクシンボルの間にＰＤＳＣＨを処理する（たとえば、復調、復号、および／またはレートマッチングする）ことによって、追加のブロードキャスト情報を基地局から受信するためにダウンリンクシンボルを監視することができる。
【０００６】
[0006]  ＵＥにおけるワイヤレス通信の方法について説明する。この方法は、複数のダウンリンクシンボルにわたって、ＲＲＣ接続状態から外れている間に、ＰＤＳＣＨを基地局から受信することと、ＰＤＳＣＨがブロードキャスト情報を搬送する、複数のダウンリンクシンボルの第１のセットにわたってＰＤＳＣＨのブラインド復号（blind decoding）を実行することと、複数のダウンリンクシンボルの第２のセットの間にＰＤＳＣＨのブラインド復号を実行することと、第２のセットの長さが第１のセットとは異なる、を含み得る。
【０００７】
[0007]  ワイヤレス通信のための装置について説明する。この装置は、複数のダウンリンクシンボルにわたって、ＲＲＣ接続状態から外れている間に、ＰＤＳＣＨを基地局から受信するための手段と、ＰＤＳＣＨがブロードキャスト情報を搬送する、複数のダウンリンクシンボルの第１のセットにわたってＰＤＳＣＨのブラインド復号を実行するための手段と、複数のダウンリンクシンボルの第２のセットの間にＰＤＳＣＨのブラインド復号を実行するための手段と、第２のセットが第１のセットとは異なる長さである、を含み得る。
【０００８】
[0008]  ワイヤレス通信のための別の装置について説明する。この装置は、プロセッサ（processor）と、プロセッサと電子通信しているメモリ（memory）と、メモリ内に記憶された命令とを含み得る。これらの命令は、プロセッサに、複数のダウンリンクシンボルにわたって、ＲＲＣ接続状態から外れている間に、ＰＤＳＣＨを基地局から受信することと、ＰＤＳＣＨがブロードキャスト情報を搬送する、複数のダウンリンクシンボルの第１のセットにわたってＰＤＳＣＨのブラインド復号を実行することと、複数のダウンリンクシンボルの第２のセットの間にＰＤＳＣＨのブラインド復号を実行することと、第２のセットの長さが第１のセットとは異なる、を行わせるように動作可能であり得る。
【０００９】
[0009]  ワイヤレス通信のための非一時的コンピュータ可読媒体（non-transitory computer-readable medium）について説明する。この非一時的コンピュータ可読媒体は、プロセッサに、複数のダウンリンクシンボルにわたって、ＲＲＣ接続状態から外れている間に、ＰＤＳＣＨを基地局から受信することと、ＰＤＳＣＨがブロードキャスト情報を搬送する、複数のダウンリンクシンボルの第１のセットにわたってＰＤＳＣＨのブラインド復号を実行することと、複数のダウンリンクシンボルの第２のセットの間にＰＤＳＣＨのブラインド復号を実行することと、第２のセットの長さが第１のセットとは異なる、を行わせるように動作可能な命令を含み得る。
【００１０】
[0010]  上記で説明した方法、装置、および非一時的コンピュータ可読媒体のいくつかの例は、事前構成された規則（preconfigured rule）に少なくとも部分的に基づいて、複数のダウンリンクシンボルの第１のセットまたは複数のダウンリンクシンボルの第２のセットを選択するためのプロセス、特徴、手段、または命令をさらに含み得る。上記で説明した方法、装置、および非一時的コンピュータ可読媒体のいくつかの例では、事前構成された規則は、複数のダウンリンクシンボルの最小ダウンリンクシンボル数または最大ダウンリンクシンボル数を備える。
【００１１】
[0011]  上記で説明した方法、装置、および非一時的コンピュータ可読媒体のいくつかの例では、最小ダウンリンクシンボル数もしくは最大ダウンリンクシンボル数、またはその両方は、ダウンリンク制御情報（ＤＣＩ：downlink control information）内に指示され得る。上記で説明した方法、装置、および非一時的コンピュータ可読媒体のいくつかの例では、最小ダウンリンクシンボル数もしくは最大ダウンリンクシンボル数、またはその両方は、事前定義され得る。
【００１２】
[0012]  上記で説明した方法、装置、および非一時的コンピュータ可読媒体のいくつかの例は、ＰＤＳＣＨのコーディングされたビットが最小ダウンリンクシンボル数内であることに少なくとも部分的に基づいて、コーディングされたビットのＬＬＲのソフト合成（soft combining）を実行するためのプロセス、特徴、手段、または命令をさらに含み得る。上記で説明した方法、装置、および非一時的コンピュータ可読媒体のいくつかの例は、事前構成された規則に少なくとも部分的に基づいて、複数のダウンリンクシンボルの第１のセットを選択すること、ここにおいて、ＰＤＳＣＨのブラインド復号を実行することが、複数のダウンリンクシンボルの選択された第１のセットに少なくとも部分的に基づき得る、を行うためのプロセス、特徴、手段、または命令をさらに含み得る。
【００１３】
[0013]  上記で説明した方法、装置、および非一時的コンピュータ可読媒体のいくつかの例は、事前構成された規則に少なくとも部分的に基づいて、複数のダウンリンクシンボルの第２のセットを選択すること、ここにおいて、ＰＤＳＣＨのブラインド復号を実行することが、複数のダウンリンクシンボルの選択された第２のセットに少なくとも部分的に基づき得る、を行うためのプロセス、特徴、手段、または命令をさらに含み得る。上記で説明した方法、装置、および非一時的コンピュータ可読媒体のいくつかの例では、ブロードキャスト情報は、ＲＭＳＩもしくはＯＳＩ、またはその両方を備える。
【００１４】
[0014]  ＵＥにおけるワイヤレス通信の方法について説明する。この方法は、ＲＲＣ接続状態から外れている間に、ブロードキャスト情報を搬送するＰＤＳＣＨを送信するために使用されるダウンリンクシンボルの長さの指示（indication）を基地局から受信することと、長さが、開始ダウンリンクシンボルインデックスから終了ダウンリンクシンボルインデックスまでである、指示に少なくとも部分的に基づいて、ＰＤＳＣＨを復号する（decode）ことと、を含み得る。
【００１５】
[0015]  ワイヤレス通信のための装置について説明する。この装置は、ＲＲＣ接続状態から外れている間に、ブロードキャスト情報を搬送するＰＤＳＣＨを送信するために使用されるダウンリンクシンボルの長さの指示を基地局から受信するための手段と、長さが、開始ダウンリンクシンボルインデックスから終了ダウンリンクシンボルインデックスまでである、指示に少なくとも部分的に基づいて、ＰＤＳＣＨを復号するための手段とを含み得る。
【００１６】
[0016]  ワイヤレス通信のための別の装置について説明する。この装置は、プロセッサと、プロセッサと電子通信しているメモリと、メモリ内に記憶された命令とを含み得る。これらの命令は、プロセッサに、ＲＲＣ接続状態から外れている間に、ブロードキャスト情報を搬送するＰＤＳＣＨを送信するために使用されるダウンリンクシンボルの長さの指示を基地局から受信することと、長さが、開始ダウンリンクシンボルインデックスから終了ダウンリンクシンボルインデックスまでである、指示に少なくとも部分的に基づいて、ＰＤＳＣＨを復号することと、を行わせるように動作可能であり得る。
【００１７】
[0017]  ワイヤレス通信のための非一時的コンピュータ可読媒体について説明する。この非一時的コンピュータ可読媒体は、プロセッサに、ＲＲＣ接続状態から外れている間に、ブロードキャスト情報を搬送するＰＤＳＣＨを送信するために使用されるダウンリンクシンボルの長さの指示を基地局から受信することと、長さが、開始ダウンリンクシンボルインデックスから終了ダウンリンクシンボルインデックスまでである、指示に少なくとも部分的に基づいて、ＰＤＳＣＨを復号することと、を行わせるように動作可能な命令を含み得る。
【００１８】
[0018]  上記で説明した方法、装置、および非一時的コンピュータ可読媒体のいくつかの例では、ブロードキャスト情報は、ＲＭＳＩもしくはＯＳＩ、またはその両方を備える。上記で説明した方法、装置、および非一時的コンピュータ可読媒体のいくつかの例では、長さは、ダウンリンクシンボルの固定長（fixed length）であり得る。
【００１９】
[0019]  上記で説明した方法、装置、および非一時的コンピュータ可読媒体のいくつかの例は、ＤＣＩを基地局から受信すること、ここにおいて、基地局によってＰＤＳＣＨを送信するために使用されるダウンリンクシンボルの長さの指示が、ＤＣＩ内で受信され得る、を行うためのプロセス、特徴、手段、または命令をさらに含み得る。上記で説明した方法、装置、および非一時的コンピュータ可読媒体のいくつかの例は、ＤＣＩ内で受信されたＤＣＩフィールド（DCI field）内のビット値（bit value）に少なくとも部分的に基づいて、ＰＤＳＣＨを送信するために使用されるダウンリンクシンボルの長さを識別すること、ここで、復調基準信号（ＤＭＲＳ：demodulation reference signal）パターン（pattern）は、ＤＣＩフィールド内のビット値に関連付けられる、を行うためのプロセス、特徴、手段、または命令をさらに含み得る。
【００２０】
[0020]  上記で説明した方法、装置、および非一時的コンピュータ可読媒体のいくつかの例は、物理ブロードキャストチャネル（ＰＢＣＨ：physical broadcast channel）上で制御情報（control information）をマスタ情報ブロック（ＭＩＢ：master information block）内で基地局から受信するためのプロセス、特徴、手段、または命令をさらに含み得る。上記で説明した方法、装置、および非一時的コンピュータ可読媒体のいくつかの例は、ＭＩＢ内の制御情報に少なくとも部分的に基づいて、ＰＤＳＣＨの開始ダウンリンクシンボルインデックスを決定するためのプロセス、特徴、手段、または命令をさらに含み得る。上記で説明した方法、装置、および非一時的コンピュータ可読媒体のいくつかの例は、物理ダウンリンク制御チャネル（ＰＤＣＣＨ：physical downlink control channel）上で制御情報をＤＣＩ内で基地局から受信することに少なくとも部分的に基づいて、ＰＤＳＣＨの終了ダウンリンクシンボルインデックスを決定すること、ここにおいて、ＰＤＳＣＨを復号することが、開始ダウンリンクシンボルインデックスおよび終了ダウンリンクシンボルインデックスに少なくとも部分的に基づき得る、を行うためのプロセス、特徴、手段、または命令をさらに含み得る。
【００２１】
[0021]  上記で説明した方法、装置、および非一時的コンピュータ可読媒体のいくつかの例では、ＰＤＳＣＨを送信するために使用されるダウンリンクシンボルの長さの指示は、ＵＥと基地局との間のＲＲＣ構成手順（configuration procedure）の前に受信され得る。
【００２２】
[0022]  ワイヤレス通信の方法について説明する。この方法は、ＵＥがＲＲＣ接続状態から外れている間に、ブロードキャスト情報を搬送するＰＤＳＣＨをＵＥに送信するために使用されるダウンリンクシンボルの長さを識別することと、長さが、開始ダウンリンクシンボルインデックスから終了ダウンリンクシンボルインデックスまでである、指示をＵＥに送信することと、を含み得る。
【００２３】
[0023]  ワイヤレス通信のための装置について説明する。この装置は、ＵＥがＲＲＣ接続状態から外れている間に、ブロードキャスト情報を搬送するＰＤＳＣＨをＵＥに送信するために使用されるダウンリンクシンボルの長さを識別するための手段と、長さが、開始ダウンリンクシンボルインデックスから終了ダウンリンクシンボルインデックスまでである、指示をＵＥに送信するための手段と、を含み得る。
【００２４】
[0024]  ワイヤレス通信のための別の装置について説明する。この装置は、プロセッサと、プロセッサと電子通信しているメモリと、メモリ内に記憶された命令とを含み得る。これらの命令は、プロセッサに、ＵＥがＲＲＣ接続状態から外れている間に、ブロードキャスト情報を搬送するＰＤＳＣＨをＵＥに送信するために使用されるダウンリンクシンボルの長さを識別することと、長さが、開始ダウンリンクシンボルインデックスから終了ダウンリンクシンボルインデックスまでである、指示をＵＥに送信することと、を行わせるように動作可能であり得る。
【００２５】
[0025]  ワイヤレス通信のための非一時的コンピュータ可読媒体について説明する。この非一時的コンピュータ可読媒体は、プロセッサに、ＵＥがＲＲＣ接続状態から外れている間に、ブロードキャスト情報を搬送するＰＤＳＣＨをＵＥに送信するために使用されるダウンリンクシンボルの長さを識別することと、長さが、開始ダウンリンクシンボルインデックスから終了ダウンリンクシンボルインデックスまでである、指示をＵＥに送信することと、を行わせるように動作可能な命令を含み得る。
【００２６】
[0026]  上記で説明した方法、装置、および非一時的コンピュータ可読媒体のいくつかの例では、ブロードキャスト情報は、ＲＭＳＩもしくはＯＳＩ、またはその両方を備える。上記で説明した方法、装置、および非一時的コンピュータ可読媒体のいくつかの例は、ＰＢＣＨ上で制御情報をＭＩＢ内で送信することに少なくとも部分的に基づいて、開始ダウンリンクシンボルインデックスの指示をＵＥに提供するためのプロセス、特徴、手段、または命令をさらに含み得る。
【００２７】
[0027]  上記で説明した方法、装置、および非一時的コンピュータ可読媒体のいくつかの例は、事前構成された規則に少なくとも部分的に基づいて、ブロードキャスト情報を搬送するＰＤＳＣＨの送信のためのダウンリンクシンボルのセットを割り当てるためのプロセス、特徴、手段、または命令をさらに含み得る。上記で説明した方法、装置、および非一時的コンピュータ可読媒体のいくつかの例は、ダウンリンクシンボルの割り当てられたセットに少なくとも部分的に基づいて、ＰＤＳＣＨをスケジュールするためのプロセス、特徴、手段、または命令をさらに含み得る。
【００２８】
[0028]  上記で説明した方法、装置、および非一時的コンピュータ可読媒体のいくつかの例では、ダウンリンクシンボルの割り当てられたセットは、ＲＭＳＩまたはＯＳＩを搬送するＰＤＳＣＨに少なくとも部分的に基づいて可変であり得る。上記で説明した方法、装置、および非一時的コンピュータ可読媒体のいくつかの例は、フレームのスロット（slot）に関連する複数のダウンリンクシンボルを識別するためのプロセス、特徴、手段、または命令をさらに含み得る。上記で説明した方法、装置、および非一時的コンピュータ可読媒体のいくつかの例は、識別された複数のダウンリンクシンボルがダウンリンクシンボルの割り当てられたセットを満たすと決定すること、ここにおいて、ＰＤＳＣＨをスケジュールすることが、スロットに関連する識別された複数のダウンリンクシンボルがＰＤＳＣＨを送信するために使用される複数のダウンリンクシンボルの割り当てられたセットを満たすことに少なくとも部分的に基づき得る、を行うためのプロセス、特徴、手段、または命令をさらに含み得る。
【００２９】
[0029]  上記で説明した方法、装置、および非一時的コンピュータ可読媒体のいくつかの例は、識別された複数のダウンリンクシンボルがダウンリンクシンボルの割り当てられたセットを下回り得ると決定するためのプロセス、特徴、手段、または命令をさらに含み得る。上記で説明した方法、装置、および非一時的コンピュータ可読媒体のいくつかの例は、スロットの間にＰＤＳＣＨをスケジュールすることを控えるためのプロセス、特徴、手段、または命令をさらに含み得る。
【００３０】
[0030]  上記で説明した方法、装置、および非一時的コンピュータ可読媒体のいくつかの例は、識別された複数のダウンリンクシンボルがダウンリンクシンボルの割り当てられたセットを上回り得ると決定するためのプロセス、特徴、手段、または命令をさらに含み得る。上記で説明した方法、装置、および非一時的コンピュータ可読媒体のいくつかの例は、スロットに関連する未使用のダウンリンクシンボル（unused downlink symbol）のセットを切り捨てる（truncate）こと、ここにおいて、ＰＤＳＣＨをスケジュールすることが、切り捨てることに少なくとも部分的に基づき得る、を行うためのプロセス、特徴、手段、または命令をさらに含み得る。
【００３１】
[0031]  上記で説明した方法、装置、および非一時的コンピュータ可読媒体のいくつかの例は、スロットに関連する未使用のダウンリンクシンボルのセットをパンクチャリングする（puncture）ためのプロセス、特徴、手段、または命令をさらに含み得る。上記で説明した方法、装置、および非一時的コンピュータ可読媒体のいくつかの例は、ブロードキャスト情報を搬送するＰＤＳＣＨの送信のためのダウンリンクシンボルの最小セット（minimum set）を決定するためのプロセス、特徴、手段、または命令をさらに含み得る。上記で説明した方法、装置、および非一時的コンピュータ可読媒体のいくつかの例は、ブロードキャスト情報を搬送するＰＤＳＣＨの送信のためのダウンリンクシンボルの最大セット（maximum set）を決定するためのプロセス、特徴、手段、または命令をさらに含み得る。
【００３２】
[0032]  上記で説明した方法、装置、および非一時的コンピュータ可読媒体のいくつかの例は、ＰＤＣＣＨ上でダウンリンクシンボルの長さの表示をＤＣＩ内で送信するためのプロセス、特徴、手段、または命令をさらに含み得る。上記で説明した方法、装置、および非一時的コンピュータ可読媒体のいくつかの例は、事前構成された規則に少なくとも部分的に基づいて、ブロードキャスト情報を搬送するＰＤＳＣＨを送信するために使用されるダウンリンクシンボルの長さを決定するためのプロセス、特徴、手段。または命令をさらに含み得る。上記で説明した方法、装置、および非一時的コンピュータ可読媒体のいくつかの例は、ＤＣＩのＤＣＩフィールドに関連するビット値を割り当てること、ビット値が、ダウンリンクシンボルの長さを指示する、を行うためのプロセス、特徴、手段、または命令をさらに含み得る。
【図面の簡単な説明】
【００３３】
【図１】[0033]  本開示の態様による、ブロードキャストチャネルのためのレートマッチングをサポートする、ワイヤレス通信のためのシステムの一例を示す図。
【図２】[0034]  本開示の態様による、ブロードキャストチャネルのためのレートマッチングをサポートする、ワイヤレス通信のためのシステムの一例を示す図。
【図３Ａ】[0035]  本開示の態様による、ブロードキャストチャネルのためのレートマッチングをサポートする例示的な構成を示す図。
【図３Ｂ】本開示の態様による、ブロードキャストチャネルのためのレートマッチングをサポートする例示的な構成を示す図。
【図３Ｃ】本開示の態様による、ブロードキャストチャネルのためのレートマッチングをサポートする例示的な構成を示す図。
【図３Ｄ】本開示の態様による、ブロードキャストチャネルのためのレートマッチングをサポートする例示的な構成を示す図。
【図３Ｅ】本開示の態様による、ブロードキャストチャネルのためのレートマッチングをサポートする例示的な構成を示す図。
【図３Ｆ】本開示の態様による、ブロードキャストチャネルのためのレートマッチングをサポートする例示的な構成を示す図。
【図３Ｇ】本開示の態様による、ブロードキャストチャネルのためのレートマッチングをサポートする例示的な構成を示す図。
【図３Ｈ】本開示の態様による、ブロードキャストチャネルのためのレートマッチングをサポートする例示的な構成を示す図。
【図４】[0036]  本開示の態様による、ブロードキャストチャネルのためのレートマッチングをサポートする例示的なプロセスフローを示す図。
【図５】[0037]  本開示の態様による、ブロードキャストチャネルのためのレートマッチングをサポートするワイヤレスデバイスのブロック図。
【図６】本開示の態様による、ブロードキャストチャネルのためのレートマッチングをサポートするワイヤレスデバイスのブロック図。
【図７】[0038]  本開示の態様による、ブロードキャストチャネルのためのレートマッチングをサポートするユーザ機器（ＵＥ）ブロードキャストチャネルマネージャのブロック図。
【図８】[0039]  本開示の態様による、ブロードキャストチャネルのためのレートマッチングをサポートするデバイスを含むシステムの図。
【図９】[0040]  本開示の態様による、ブロードキャストチャネルのためのレートマッチングをサポートするワイヤレスデバイスのブロック図。
【図１０】本開示の態様による、ブロードキャストチャネルのためのレートマッチングをサポートするワイヤレスデバイスのブロック図。
【図１１】[0041]  本開示の態様による、ブロードキャストチャネルのためのレートマッチングをサポートする基地局ブロードキャストチャネルマネージャのブロック図。
【図１２】[0042]  本開示の態様による、ブロードキャストチャネルのためのレートマッチングをサポートするデバイスを含むシステムの図。
【図１３】[0043]  本開示の態様による、ブロードキャストチャネルのためのレートマッチングのための方法を示すフローチャート。
【図１４】本開示の態様による、ブロードキャストチャネルのためのレートマッチングのための方法を示すフローチャート。
【図１５】本開示の態様による、ブロードキャストチャネルのためのレートマッチングのための方法を示すフローチャート。
【図１６】本開示の態様による、ブロードキャストチャネルのためのレートマッチングのための方法を示すフローチャート。
【図１７】本開示の態様による、ブロードキャストチャネルのためのレートマッチングのための方法を示すフローチャート。
【発明を実施するための形態】
【００３４】
[0044]  いくつかのワイヤレス通信システム（たとえば、ミリメートル波（ｍｍＷ）新無線（ＮＲ）システム）では、ワイヤレスデバイス（たとえば、基地局およびユーザ機器（ＵＥ））は、互いと通信するために方向性送信またはビームフォーミングされた送信（たとえば、ビーム）を利用し得る。基地局は、基地局およびＵＥがｍｍＷ通信のために適切なビームを識別することを可能にするために、ビーム掃引手順を含む、無線リソース制御（ＲＲＣ）接続手順を実行し得る。そのような場合、ＵＥは、ＵＥが（たとえば、基地局を通じて）ワイヤレスネットワークにアクセスするために使用し得るブロードキャストシステム情報（broadcast system information）を基地局から受信することもできる。ＵＥは、基地局と同期するためのタイミング情報を基地局から受信された同期信号から識別し得る。同期信号に加えて、ＵＥは、ＵＥが（たとえば、基地局を通じて）ワイヤレスネットワークにアクセスするために使用し得るシステム情報を基地局から受信することもできる。
【００３５】
[0045]  ＵＥは、ブロードキャストチャネル（たとえば、物理ダウンリンク共有チャネル（ＰＤＳＣＨ））を介して、ＵＥが基地局と通信することを可能にするための追加のパラメータを含み得る追加のブロードキャスト情報（たとえば、残りの最小システム情報（ＲＭＳＩ）と、他のシステム情報（ＯＳＩ））とを受信することもできる。そのような場合、しかしながら、ＵＥは、追加のブロードキャスト情報を基地局から受信するために監視するための適切なリソース（たとえば、シンボル、リソース要素など）を認識していない場合があるため、追加のブロードキャスト情報を受信することはＵＥにとって困難であり得る。すなわち、基地局は、ＵＥがＲＲＣ接続状態から外れている間に、追加のブロードキャスト情報をＵＥに提供しない場合がある。本開示は、ＰＤＳＣＨに関する開始ダウンリンクシンボルから終了ダウンリンクシンボルまでの長さ（すなわち、開始ダウンリンクシンボルインデックスから終了ダウンリンクシンボルインデックスまでのダウンリンクシンボルの数（または、代替として、座標））をＵＥに指示するための効率的な技法をサポートし得る。ＵＥは、長さの指示を基地局から受信すること、したがって、たとえば、いくつかのダウンリンクシンボルにわたって追加のブロードキャスト情報を搬送するＰＤＳＣＨを監視し、復号することができる。たとえば、ＵＥは、複数のダウンリンクシンボルにわたってＰＤＳＣＨを基地局から受信し、ＲＲＣ接続状態から外れている間に、複数のダウンリンクシンボルの第１のセットにわたってＰＤＳＣＨのブラインド復号を実行し得る。ＵＥは、次いで、ブラインド復号が成功したかどうかを決定し得る。復号が成功した場合、ＵＥは、ブロードキャスト情報（たとえば、ＲＭＳＩ、ＯＳＩ）を処理し続けることができる。しかしながら、ＵＥが、ブラインド復号が不成功であったと決定した場合、ＵＥは、基地局がＰＤＳＣＨを再送信するのを待ち、ブラインド復号を繰り返すことができる。場合によっては、ＵＥは、複数のダウンリンクシンボルの第２のセットにわたって再送信されたＰＤＳＣＨのブラインド復号を実行し得る。この場合、第２のセットの長さは、たとえば、ＰＤＳＣＨの復号を成功裏に実行するためのＵＥの能力（capability）を改善するために、第１のセットとは異なり得る。
【００３６】
[0046]  本開示の態様は、初めにワイヤレス通信システムのコンテキスト（context）において説明される。ブロードキャストチャネルのためのレートマッチングをサポートする、例示的なＵＥおよび基地局（たとえば、次世代ノードＢ（ｇＮＢ）、発展型ノードＢ（ｅＮＢ））、システム、およびプロセスフロー。本開示の態様は、さらに、ビーム不整合検出（beam misalignment detection）に関する装置図、システム図、およびフローチャートによって示され、それらを参照しながら説明する。
【００３７】
[0047]  図１は、本開示の態様による、ブロードキャストチャネルのためのレートマッチングをサポートする、ワイヤレス通信のためのシステム１００の一例を示す。システム１００は、基地局１０５と、ＵＥ１１５と、コアネットワーク１３０とを含み得る。いくつかの例では、システム１００は、ロングタームエボリューション（ＬＴＥ）ネットワーク、ＬＴＥアドバンスト（ＬＴＥ−Ａ）ネットワーク、または新無線（ＮＲ）ネットワークであり得る。場合によっては、システム１００は、拡張ブロードバンド通信、超高信頼（たとえば、ミッションクリティカル）通信、低レイテンシ通信（low latency communication）、または低コストおよび低複雑度デバイスを用いた通信をサポートし得る。
【００３８】
[0048]  基地局１０５は、１つまたは複数の基地局アンテナを介してＵＥ１１５とワイヤレスに通信し得る。本明細書で説明する基地局１０５は、トランシーバ基地局、無線基地局、アクセスポイント、無線トランシーバ、ノードＢ、ｅノードＢ（ｅＮＢ）、次世代ノードＢまたはギガノードＢ（それらのいずれもｇＮＢと呼ばれることがある）、ホームノードＢ、ホームｅノードＢ、または何らかの他の好適な用語を含み得るか、または当業者によってそれらで呼ばれることがある。システム１００は、異なるタイプの基地局１０５（たとえば、マクロセル基地局またはスモールセル基地局）を含んでよい。本明細書で説明するＵＥ１１５は、マクロｅＮＢ、スモールセルｅＮＢ、ｇＮＢ、リレー基地局などを含む、様々なタイプの基地局１０５およびネットワーク機器と通信することが可能であり得る。
【００３９】
[0049]  各基地局１０５は、様々なＵＥ１１５との通信がサポートされる特定の地理的カバレージエリア１１０に関連付けられ得る。各基地局１０５は、通信リンク１２５を介してそれぞれの地理的カバレージエリア１１０に通信カバレージを提供することができ、基地局１０５とＵＥ１１５との間の通信リンク１２５は、１つまたは複数のキャリアを利用し得る。システム１００に示された通信リンク１２５は、ＵＥ１１５から基地局１０５へのアップリンク送信、または基地局１０５からＵＥ１１５へのダウンリンク送信を含んでよい。ダウンリンク送信は順方向リンク送信と呼ばれることもあり、一方、アップリンク送信は逆方向リンク送信と呼ばれることもある。
【００４０】
[0050]  基地局１０５のための地理的カバレージエリア１１０は、地理的カバレージエリア１１０の一部分のみを構成するセクタに分割されてよく、各セクタはセルに関連付けられ得る。たとえば、各基地局１０５は、マクロセル、スモールセル、ホットスポット、もしくは他のタイプのセル、またはそれらの様々な組合せに通信カバレージを提供することができる。いくつかの例では、基地局１０５は可動であり得、したがって、移動する地理的カバレッジエリア１１０に通信カバレージを提供し得る。いくつかの例では、異なる技術に関連する異なる地理的カバレージエリア１１０は、重複することがあり、異なる技術に関連する重複する地理的カバレージエリア１１０は、同じ基地局１０５によってまたは異なる基地局１０５によってサポートされ得る。システム１００はたとえば、異なるタイプの基地局１０５が様々な地理的カバレージエリア１１０にカバレージを提供する、異種ＬＴＥ／ＬＴＥ−ＡネットワークまたはＮＲネットワークを含み得る。
【００４１】
[0051]  「セル（cell）」という用語は、基地局１０５と（たとえば、キャリア上で）通信するために使用される論理通信エンティティを指し、同じキャリアまたは異なるキャリアを介して動作する近隣セルを区別するための識別子（たとえば、物理セルＩＤ（ＰＣＩＤ）または仮想セル識別子（ＶＣＩＤ））に関連付けられ得る。いくつかの例では、キャリアは、複数のセルをサポートし得、様々なセルが、異なるタイプのデバイスに対するアクセスを提供し得る、異なるプロトコルタイプ（たとえば、マシンタイプ通信（ＭＴＣ：machine-type communication）、狭帯域モノのインターネット（ＮＢ−ＩｏＴ）、拡張モバイルブロードバンド（ｅＭＢＢ）、またはその他）に従って構成され得る。場合によっては、「セル」という用語は、その上で論理エンティティが動作する地理的カバレージエリア１１０（たとえば、セクタ）の一部を指すことがある。
【００４２】
[0052]  ＵＥ１１５は、システム１００全体にわたって分散され得、各ＵＥ１１５は固定またはモバイルであり得る。ＵＥ１１５は、モバイルデバイス、ワイヤレスデバイス、リモートデバイス、ハンドヘルドデバイス、もしくは加入者デバイス、または何らかの他の適切な用語で呼ばれることもあり、ここで「デバイス（device）」は、ユニット、局、端末、またはクライアントと呼ばれることもある。ＵＥ１１５は、セルラーフォン、携帯情報端末（ＰＤＡ）、タブレットコンピュータ、ラップトップコンピュータ、またはパーソナルコンピュータなどの個人的な電子デバイスであってよい。いくつかの例では、ＵＥ１１５は、器具、車両、メータなど様々な物品内で実装され得る、ワイヤレスローカルループ（ＷＬＬ）局、モノのインターネット（ＩｏＴ）デバイス、すべてのモノのインターネット（ＩｏＥ）デバイス、またはＭＴＣデバイスなどを指すこともある。
【００４３】
[0053]  基地局１０５は、コアネットワーク１３０とおよび互いに通信し得る。たとえば、基地局１０５は、バックホールリンク１３２を通して（たとえば、Ｓ１または他のインターフェースを介して）コアネットワーク１３０とインターフェースし得る。基地局１０５は、直接的に（たとえば、基地局１０５との間で直接的に）または間接的に（たとえば、コアネットワーク１３０を介して）のいずれかでバックホールリンク１３４上で（たとえば、Ｘ２または他のインターフェースを介して）互いと通信し得る。コアネットワーク１３０は、ユーザ認証と、アクセス認可と、トラッキングと、インターネットプロトコル（ＩＰ）接続性と、他のアクセス、ルーティング、またはモビリティの機能とを実現することができる。コアネットワーク１３０は、少なくとも１つのモビリティ管理エンティティ（ＭＭＥ：mobility management entity）と、少なくとも１つのサービングゲートウェイ（Ｓ−ＧＷ）と、少なくとも１つのパケットデータネットワーク（ＰＤＮ）ゲートウェイ（Ｐ−ＧＷ）とを含み得る発展型パケットコア（ＥＰＣ）であり得る。ＭＭＥは、ＥＰＣに関連する基地局１０５によってサービスされるＵＥ１１５に対する、モビリティ、認証、およびベアラ管理などの非アクセス層（たとえば、制御プレーン）機能を管理し得る。ユーザＩＰパケットは、それ自体がＰ−ＧＷに接続され得るＳ−ＧＷを通して転送され得る。Ｐ−ＧＷは、ＩＰアドレス割振りならびに他の機能を実現することができる。Ｐ−ＧＷは、ネットワーク事業者のＩＰサービスに接続されてよい。事業者ＩＰサービスは、インターネット、イントラネット、ＩＰマルチメディアサブシステム（ＩＭＳ）、またはパケット交換（ＰＳ）ストリーミングサービスに対するアクセスを含み得る。
【００４４】
[0054]  システム１００は、ミリメートル帯域としても知られている、スペクトルの超高周波（ＥＨＦ：extremely high frequency）（たとえば、３０ＧＨｚから３００ＧＨｚ）領域で動作し得る。いくつかの例では、システム１００は、ＵＥ１１５と基地局１０５との間のｍｍＷ通信をサポートし得、それぞれのデバイスのＥＨＦアンテナは、極超短波（ＵＨＦ：ultra-high frequency）アンテナよりも一層小さく、間隔がさらに密であり得る。場合によっては、これは、ＵＥ１１５内でアンテナアレイ（antenna array）の使用を容易にし得る。しかしながら、ＥＨＦ送信の伝搬は、超高周波（ＳＨＦ：super high frequency）送信またはＵＨＦ送信よりも一層大きい大気減衰および短い距離を受け得る。本明細書で開示される技法は、１つまたは複数の異なる周波数領域を使用する送信にわたって採用されてよく、これらの周波数領域にわたる帯域の指定された使用は、国または規制機関ごとに異なり得る。
【００４５】
[0055]  基地局１０５は、基地局１０５およびＵＥ１１５がｍｍＷ通信のために適切なビームを識別することを可能にするために、ビーム掃引手順を含むＲＲＣ接続手順を実行し得る。ＲＲＣ接続手順の間に、ＵＥ１１５は、ＵＥ１１５が（たとえば、基地局１０５を通じて）ワイヤレスネットワークにアクセスするために使用し得るシステム情報を基地局１０５から受信することもできる。ＵＥ１１５は、基地局１０５と同期するためのタイミング情報を受信することもできる。同期ソース（たとえば、基地局１０５）によって送信された同期信号または同期チャネルを使用して、同期（たとえば、セル捕捉（cell acquisition）のための）が実行され得る。基地局１０５は、発見基準信号を含む同期信号を送信することができる。同期信号は、１次同期信号（ＰＳＳ：primary synchronization signal）または２次同期信号（ＳＳＳ：secondary synchronization signal）を含み得る。ワイヤレスネットワークにアクセスすることを試みるＵＥ１１５は、基地局１０５からのＰＳＳを検出することによって、初期セル探索を実行し得る。ＰＳＳは、スロットタイミングの同期を可能にし得、物理層識別情報値を指示し得る。ＵＥ１１５は、次いで、ＳＳＳを受信し得る。
【００４６】
[0056]  ＳＳＳは、無線フレーム同期を可能にし得、セルを識別するＰＣＩＤを形成するため物理レイヤ識別情報値と組み合わされ得る、セルＩＤを提供し得る。ＳＳＳは、複信モード（duplexing mode）（たとえば、時分割複信（ＴＤＤ）または周波数分割複信（ＦＤＤ））の検出を可能にすることもできる。ＳＳＳは、他のブロードキャスト情報（たとえば、システム帯域幅）を獲得するために使用され得る。場合によっては、基地局１０５は、物理ブロードキャストチャネル（ＰＢＣＨ）内で他のブロードキャスト情報をＵＥ１１５に提供し得る。したがって、ＰＢＣＨは、獲得のために必要とされる追加のブロードキャスト情報（たとえば、システム帯域幅、無線フレームインデックス／番号）を獲得するために使用され得る。
【００４７】
[0057]  ＰＢＣＨは、所与のセルに関するマスタ情報ブロック（ＭＩＢ）を搬送し得る。しかしながら、場合によっては、基地局１０５は、ＭＩＢを使用して、追加のブロードキャスト情報をＵＥ１１５に提供することができないことがある。代わりに、基地局１０５は、異なる物理ブロードキャストチャネルを介して、ＵＥ１１５が基地局１０５と通信することを可能にするための追加のパラメータを含み得る追加のブロードキャスト情報（たとえば、ＲＭＳＩおよびＯＳＩ）を提供し得る。たとえば、基地局１０５は、ＲＭＳＩとＯＳＩとをＰＤＳＣＨ上でＵＥ１１５に送信し得る。そのような場合、しかしながら、ＵＥがＲＲＣ接続状態から外れている場合、ＵＥ１１５は、追加のブロードキャスト情報を搬送するＰＤＳＣＨを基地局１０５から受信するために監視するための適切なリソース（たとえば、シンボル、リソース要素など）を認識していない場合があるため、追加のブロードキャスト情報を受信することはＵＥ１１５にとって困難であり得る。
【００４８】
[0058]  いくつかの例では、物理ブロードキャストチャネルは、様々な技法に従って、キャリア上で多重化され得る。物理ブロードキャスト制御チャネルおよび物理データチャネルは、たとえば、時分割多重化（ＴＤＭ）技法、周波数分割多重化（ＦＤＭ）技法、またはハイブリッドＴＤＭ−ＦＤＭ技法を使用して、ダウンリンクキャリア上で多重化されてよい。いくつかの例では、物理ブロードキャストチャネル内で送信される制御情報は、カスケード方式で異なる制御領域間で（たとえば、共通制御領域または共通探索空間と１つまたは複数のＵＥ固有制御領域またはＵＥ固有の探索空間との間で）配信され得る。
【００４９】
[0059]  前の例に戻ると、基地局１０５が、ＰＢＣＨ内で何らかのシステム情報を送信し、異なるブロードキャストチャネル（たとえば、ＰＤＳＣＨ）内で他の追加のブロードキャスト情報（たとえば、ＲＭＳＩ、ＯＳＩ）を送信することができる場合、ＵＥ１１５は、他の追加のブロードキャスト情報を受信して識別する困難を有し得る。たとえば、ＰＤＳＣＨは、広範囲の時間リソースおよび周波数リソースにマッピングされることがあり、ＵＥ１１５がそれに応じてＰＤＳＣＨを受信して復号することができるように、フレーム内のスロットまたはサブフレーム内でＰＤＳＣＨの（たとえば、開始ダウンリンクシンボルインデックスから終了ダウンリンクシンボルインデックスまで）の長さを識別することはＵＥ１１５にとって困難であり得る。システム１００の基地局１０５は、ＵＥ１１５が追加のブロードキャスト情報を搬送するＰＤＳＣＨを受信して復号することができる、スロットまたはサブフレーム内のＰＤＳＣＨの長さの指示をＵＥ１１５に提供するための効率的な技法をサポートし得る。ＰＤＳＣＨは、たとえば、ＴＤＤおよび／またはＦＤＤを介して複信され得る。
【００５０】
[0060]  基地局１０５は、ＵＥ１１５がＲＲＣ接続状態から外れている間に、ブロードキャスト情報を搬送するＰＤＳＣＨをＵＥ１１５に送信するために使用されるダウンリンクシンボルの長さを識別することができ、基地局１０５は、その指示をＵＥ１１５に送信することができる。本明細書で使用される長さは、いくつかのダウンリンクシンボルの固定長であり得る。言い換えれば、ダウンリンクシンボルの長さは、いくつかのダウンリンクシンボル内で測定されるＰＤＳＣＨの長さを指すことがある。場合によっては、基地局１０５は、ＰＢＣＨ上で制御情報をＭＩＢ内で送信することに基づいて、開始ダウンリンクシンボルインデックスの指示をＵＥ１１５に提供し得る。基地局１０５は、物理ダウンリンク制御チャネル（ＰＤＣＣＨ）上でダウンリンクシンボルの長さの指示をダウンリンク制御情報（ＤＣＩ）内で送信することもできる。
【００５１】
[0061]  ＵＥ１１５は、複数のダウンリンクシンボルにわたって、ＲＲＣ接続状態から外れている間に、基地局１０５からＰＤＳＣＨを受信することができる。場合によっては、ＵＥ１１５は、複数のダウンリンクシンボルの第１のセットにわたってＰＤＳＣＨのブラインド復号を実行し得る。ＵＥ１１５がブラインド復号を完了すると、ＵＥ１１５は、復号されたＰＤＳＣＨが成功したかまたは不成功であったかを決定し得る。場合によっては、ＵＥ１１５は、その決定に基づいて、複数のダウンリンクシンボルの第２のセットの間にＰＤＳＣＨの第２のブラインド復号（second blind decoding）を実行し得る。第２のセットの長さは、第１のセットとは異なり得る。加えて、第２のセットは、第１のセットと同じであってよい。結果として、ＵＥ１１５は、ダウンリンクシンボルの同じセット上でブラインド復号を実行し得る。場合によっては、ＵＥ１１５は、ＰＤＳＣＨ上で搬送される（たとえば、ブロードキャスト情報（ＲＭＳＩ、ＯＳＩ）に関連する）コードワードまたはパケットに関連するビットエラーまたはコードブロック巡回冗長検査（ＣＲＣ）手順に基づいて、復号されたＰＤＳＣＨが成功したかまたは不成功であったかを決定し得る。
【００５２】
[0062]  場合によっては、基地局１０５は、事前構成された規則に基づいて、ブロードキャスト情報を搬送するＰＤＳＣＨの送信のためのダウンリンクシンボルのセットを割り当てることができ、基地局１０５は、ダウンリンクシンボルの割り当てられたセットに基づいて、ＰＤＳＣＨをスケジュールすることができる。基地局１０５は、事前構成された規則に基づいて、ブロードキャスト情報を搬送するＰＤＳＣＨを送信するために使用されるダウンリンクシンボルの長さを決定し、ＤＣＩ内のＤＣＩフィールドに関連するビット値を割り当てることもできる。ビット値は、ダウンリンクシンボルの長さを指示し得る。場合によっては、ダウンリンクシンボルの割り当てられたセットは、ＲＭＳＩまたはＯＳＩを搬送するＰＤＳＣＨに基づいて可変であり得る。たとえば、ＲＭＳＩを搬送するＰＤＳＣＨは、ＯＳＩを搬送するＰＤＳＣＨと比較して、より長いダウンリンクシンボル長を有し、またはその逆であり得る。基地局１０５は、ブロードキャスト情報を搬送するＰＤＳＣＨの送信のためのダウンリンクシンボルの最小セットもしくは最大セット、またはその両方を決定し得る。基地局１０５は、ＰＤＳＣＨの送信のためのダウンリンクシンボルのセットを割り当てるために、送信のためのダウンリンクシンボルの最小セットもしくは最大セット、またはその両方を使用し得る。
【００５３】
[0063]  ＵＥ１１５は、事前構成された規則に基づいて、複数のダウンリンクシンボルの第１のセットまたは複数のダウンリンクの第２のセットを選択し得る。事前構成された規則は、複数のダウンリンクシンボルの最小ダウンリンクシンボル数または最大ダウンリンクシンボル数を含み得るか、またはそれを指示し得る。場合によっては、最小ダウンリンクシンボル数もしくは最大ダウンリンクシンボル数、またはその両方は、基地局１０５から送信されるＤＣＩ内に指示され得る。場合によっては、ＵＥ１１５は、ＤＣＩ内で受信されたフィールドに基づいて、ＰＤＳＣＨを送信するために使用されるダウンリンクシンボルの長さを識別し得る。たとえば、場合によっては、ダウンリンクシンボルの長さは、ＤＣＩのフィールド内のビット値を介して指示され得る。ＵＥ１１５はまた、本明細書で説明するようにダウンリンクシンボルの数を指示する長さの３つ以上のセットを選択するオプションを有してもよい。
【００５４】
[0064]  たとえば、基地局１０５（たとえば、ｇＮＢ）は、ＰＤＳＣＨのダウンリンクシンボルの長さを認識している場合がある。ダウンリンクシンボルの長さの認識に基づいて、基地局１０５は、その長さをダウンリンクシンボルのセットの長さに量子化することができる。長さを量子化するとすぐに、基地局１０５は、ダウンリンクシンボルのセットを選択し、その選択をＤＣＩフィールド内に指示し得る。たとえば、第１のセットは、ＰＤＳＣＨに関する１０個から１２個のダウンリンクシンボル（たとえば、Ｓ０〜Ｓ９、Ｓ０〜Ｓ１０、またはＳ０〜Ｓ１１）を含み得、第２のセットは、１３個または１４個のダウンリンクシンボル（たとえば、Ｓ０〜Ｓ１２またはＳ０〜Ｓ１３）を含み得る。この場合、基地局１０５は、少なくとも１個のビット値を使用して、第１のセットまたは第２のセットを指示することができる。たとえば、基地局１０５は、第１のセット（たとえば、Ｓ０〜Ｓ９、Ｓ０〜Ｓ１０、もしくはＳ０〜Ｓ１１、またはそれらの任意の組合せ）を指示するためにビット値をＤＣＩフィールド内で「１」に設定するか、または第２のセット（たとえば、Ｓ０〜Ｓ１２もしくはＳ０〜Ｓ１３、またはその両方）を指示するためにビット値をＤＣＩフィールド内で「０」に設定することができる。いくつかの例では、復調基準信号（ＤＭＲＳ）パターンは、ＤＣＩフィールド内のビット値に関連付けられ得る。すなわち、ＤＭＲＳパターンは、そのビット値に応じてやはり変化し得る。
【００５５】
[0065]  ＵＥ１１５は、基地局１０５から送信されたＤＣＩ内でフィールドを受信し、基地局１０５がどのセットを選択したのかを識別することができる。したがって、ＵＥ１１５は、ＤＣＩのフィールド内でセットによって指示されたダウンリンクシンボルの長さに対してブラインド復号を実行することができる。代替として、基地局１０５は、ＰＤＳＣＨに関連するダウンリンクシンボルの長さを量子化することを控えることができる。たとえば、基地局１０５は、最小ダウンリンクシンボル数から最大ダウンリンクシンボル数までのフルセットであり得る、ダウンリンクシンボルの単一のセットを選択し得る。この場合、基地局１０５は、ＤＣＩのフィールド内にフルセットを指示する必要がない場合がある（たとえば、ＤＣＩフィールド内に何のビットも必要とされない）。ＵＥ１１５は、ＰＤＳＣＨのブラインド復号を依然として実行し得る。場合によっては、基地局１０５は、各ダウンリンクシンボルがセットである（すなわち、各セットが１個のダウンリンクシンボルである）ように、ＰＤＳＣＨのダウンリンクシンボルの長さを量子化し得る。この場合、基地局１０５は、異なる可能なセットを指示するためにＤＣＩのフィールド内に２個以上のビットを含み得る。ＵＥ１１５が基地局１０５からＤＣＩを受信するとき、ＵＥ１１５は、ＰＤＳＣＨの正確な長さを識別し、認識することになるため、これは有利であり得る。結果として、ＵＥ１１５は、ＰＤＳＣＨのブラインド復号を実行せざるを得ない状態を回避することになる。
【００５６】
[0066]  場合によっては、基地局１０５は、フレームのスロットに関連する複数のダウンリンクシンボルを識別し、識別された複数のダウンリンクシンボルがダウンリンクシンボルの割り当てられたセットを満たす（すなわち、それに等しい）と決定し得る。結果として、基地局１０５は、ＰＤＳＣＨを送信するために使用された複数のダウンリンクシンボルの割り当てられたセットを満たすスロットに関連する、識別された複数のダウンリンクシンボルに基づいて、ＰＤＳＣＨをスケジュールすることができる。代替として、基地局１０５は、識別された複数のダウンリンクシンボルがダウンリンクシンボルの割り当てられたセットを下回ると決定し、スロットの間にＰＤＳＣＨをスケジュールすることを控えることができる。いくつかの例では、基地局１０５は、識別された複数のダウンリンクシンボルがダウンリンクシンボルの割り当てられたセットを上回ると決定し、スロットに関連する未使用のダウンリンクシンボルのセットを切り捨てることができる。この場合、基地局１０５は、切り捨てることに基づいて、ＰＤＳＣＨをスケジュールし得る。基地局１０５は、ＰＤＳＣＨをいくつかの利用可能なダウンリンクシンボル上にレートマッチングするためにスロットに関連する未使用のダウンリンクシンボルのセットをパンクチャリングすることもできる。
【００５７】
[0067]  基地局１０５は、ＰＤＳＣＨのコーディングされたビットを利用可能なダウンリンクシンボルにレートマッチングし得る。たとえば、基地局１０５がセット（たとえば、第１のセット（Ｓ９〜Ｓ１１）または第２のセット（Ｓ９〜Ｓ１３））を選択した後で、ＰＤＳＣＨのコーディングされたビットは、そのセット内の最大ダウンリンクシンボル数にレートマッチングされ、次いで、パンクチャリングされ得る。この場合、レートマッチングは、選択されたセット内の最大ダウンリンクシンボル数が利用可能になると想定するが、基地局１０５は、ＰＤＳＣＨに利用可能な実際の数のダウンリンクシンボルのみを送信する。たとえば、ＤＣＩフィールドのビット値が選択されたセットを指示するためにゼロに設定される場合、基地局１０５は、終了ダウンリンクシンボル（ending downlink symbol）がレートマッチングを実行するためのスロット内のシンボル１４（Ｓ１３）であると推定し得る。しかしながら、スロットは、１２個のダウンリンクシンボル（Ｓ０〜Ｓ１１）のみを有し得る。残りのダウンリンクシンボル（Ｓ１２およびＳ１３）は、基地局１０５によって送信されないことになる。代替として、ＤＣＩフィールドのビット値が選択されたセット（たとえば、Ｓ０〜Ｓ９、Ｓ０〜Ｓ１０、またはＳ０〜Ｓ１１）を指示するために１に設定される場合、基地局１０５は、終了ダウンリンクシンボルがレートマッチングを実行するためのスロット内のシンボル１２（Ｓ１１）であると推定し得る。しかしながら、スロットは、１０個のダウンリンクシンボルのみを有し得、したがって、終了ダウンリンクシンボルは、Ｓ０９になり、Ｓ１１ではないことになる。この場合、残りのダウンリンクシンボル（Ｓ１０およびＳ１１）は、基地局１０５によってパンクチャリングされることになり、送信されないことになる。
【００５８】
[0068]  ＵＥ１１５は、ＰＤＳＣＨの異なる長さのダウンリンクシンボルが基地局１０５から送信されたとの仮定に基づいて、ブラインド復号を実行することができる。場合によっては、ＵＥ１１５は、基地局１０５から送信されたＰＤＳＣＨを成功裏に復号することに失敗したと決定し得る。この場合、ＵＥ１１５は、基地局１０５がＰＤＳＣＨを再送信するのを待つことができる。ＵＥ１１５は、ＰＤＳＣＨの再送信を基地局１０５から受信し、ＰＤＳＣＨのダウンリンクシンボルのすべての可能な異なる長さに対してブラインド復号を実行することができる。場合によっては、ＵＥ１１５は、ＰＤＳＣＨの再送信を基地局１０５から受信し、ＰＤＳＣＨの再送信に基づいて、同じセットまたは異なるセット（たとえば、複数のダウンリンクシンボルの第２のセット）を選択することができる。ＵＥ１１５は、複数のダウンリンクシンボルの選択された第２のセットにわたって再送信に関連するＰＤＳＣＨのブラインド復号を実行し得る。
【００５９】
[0069]  ＰＤＳＣＨに関する長さ（たとえば、開始ダウンリンクシンボルから終了ダウンリンクシンボルまでのダウンリンクシンボルの数）をＵＥ１１５に指示することによって、ＵＥ１１５は、ＲＲＣ接続状態から外れている間に、追加のブロードキャスト情報を搬送するＰＤＳＣＨを受信して復号することができる。結果として、これは、システム１００内のレイテンシ（latency）を低減し得る。
【００６０】
[0070]  図２は、本開示の様々な態様による、ブロードキャストチャネルのためのレートマッチングをサポートする、ワイヤレス通信のためのシステム２００の一例を示す。いくつかの例では、システム２００は、システム１００の態様を実装し得る。システム２００のいくつかの例は、ｍｍＷワイヤレス通信システムであり得る。システム２００は、図１を参照しながら説明した対応するデバイスの例であり得る、基地局２０５とＵＥ２１５とを含み得る。システム２００は、５Ｇ新無線（ＮＲ）ＲＡＴなどの無線アクセス技術（ＲＡＴ：radio access technology）に従っても動作し得るが、本明細書で説明する技法は、任意のＲＡＴに、および２つ以上の異なるＲＡＴを同時に使用し得るシステムに適用され得る。場合によっては、システム２００は、ブロードキャストチャネルのためのレートマッチングをサポートし、５Ｇ  ＮＲ  ＲＡＴに従って動作することができる。
【００６１】
[0071]  基地局２０５は、ＵＥ２１５との接続（たとえば、双方向リンク２２０）を確立し、送信のためのリソースをＵＥ２１５に割り振ることができる。リソースは、ＲＲＣ手順（たとえば、セル獲得手順、ランダムアクセス手順、ＲＲＣ接続手順、および／またはＲＲＣ構成手順）の間に基地局２０５によって割り振られ得る。基地局２０５は、ダウンリンク送信（たとえば、双方向リンク２２０を介したダウンリンクｍｍＷビーム送信）を介してＤＣＩに関する制御リソースセット（たとえば、コアセット）を監視するようにＵＥ２１５を構成し得る。ＤＣＩは、ダウンリンク許可と、アップリンク許可と、アップリンク電力制御コマンドと、他の制御情報とを含み得る。基地局２０５は、ブロードキャストチャネル上でＤＣＩをＵＥ２１５に送信し得る。たとえば、基地局２０５は、ランダムアクセスチャネル（ＲＡＣＨ：random access channel）手順の間にＤＣＩをＰＤＣＣＨ上でＵＥ２１５に送信し得る。加えて、スケジューリングコマンドとスケジューリング許可とを使用して、基地局２０５は、別のブロードキャストチャネル（たとえば、ＰＤＳＣＨ２２５）上の次の送信についてＵＥ２１５に知らせること、もしくはアップリンクチャネル（たとえば、物理アップリンク共有チャネル（ＰＵＳＣＨ：physical uplink shared channel））上の送信のためのリソースをＵＥ２１５に許可すること、またはその両方が可能である。
【００６２】
[0072]  ＵＥ２１５と基地局２０５との間のユーザデータの送信は、指定されたコアセットを使用して、双方向リンク２２０上で基地局２０５によってＵＥ２１５に送られたＤＣＩの成功裏の復号に依存し得る。このＤＣＩは、ＵＥ２１５が、基地局２０５によるワイヤレス送信を成功裏に受信し、復調し、復号することを可能にし得る。加えて、ＵＥ２１５は、チャネル（たとえば、ＰＤＳＣＨ）のためのレートマッチングを実行し得る。いくつかの例では、しかしながら、ＰＤＳＣＨ２２５は、広範囲の時間リソースおよび周波数リソースにマッピングされることがあり、ＵＥ２１５が、ＰＤＳＣＨ２５５の長さ（たとえば、開始ダウンリンクシンボルインデックスから終了ダウンリンクシンボルインデックスまでのシンボル数）を決定し、ＲＭＳＩ２３５もしくはＯＳＩ２４０、またはその両方を搬送するＰＤＳＣＨ２２５を復号することができるように、ＵＥ２１５がＰＤＳＣＨ２２５の１つまたは複数の位置（たとえば、シンボルインデックスまたはフレームインデックス）を識別することは困難であり得る。いくつかの例では、ＲＭＳＩ２３５またはＯＳＩ２４０は、ＰＤＳＣＨ２２５の全長またはＰＤＳＣＨ２２５の一部分に及び得る。加えて、ＲＭＳＩ２３５またはＯＳＩ２４０は、オプションであり得る。本開示の原理によれば、基地局２０５は、ＵＥ２１５が、基地局２０５からのＲＭＳＩ２３５もしくはＯＳＩ２４０、またはその両方を復号および受信することができるように、ＰＤＳＣＨ２２５の長さ、たとえば、開始シンボルインデックス（start symbol index）から終了シンボルインデックス（end symbol index）までのダウンリンクシンボルの数の指示をＵＥ２１５に提供し得る。
【００６３】
[0073]  ＮＲシステムにおける例示的なフレーム構造は、たとえば、Ｔs＝１／３０，７２０，０００秒のサンプリング期間を指すことがある基本時間単位の倍数で表され得る。通信リソースの時間間隔は、各々が１０ミリ秒（ｍｓ）の持続時間を有する無線フレームに従って編成されてよく、ここで、フレーム期間は、Ｔf＝３０７，２００Ｔsとして表され得る。各フレームは、各々が１ｍｓの持続時間を有し得る、０から９までの番号を付けられた１０個のサブフレームを含み得る。サブフレームは、各々が０．５ｍｓの持続時間を有し、各々が１４個の変調シンボル期間（たとえば、直交周波数分割多重（ＯＦＤＭ）シンボル）を含み得る、２個のスロットにさらに分割され得る。場合によっては、サブフレームは、システム２００の最小スケジューリング単位であってよく、送信時間間隔（ＴＴＩ：transmission time interval）と呼ばれることがある。他の場合には、システム２００の最小スケジューリング単位は、サブフレームよりも短い場合があるか、または（たとえば、最短ＴＴＩ（ｓＴＴＩ）のバースト内で、もしくはｓＴＴＩを使用する選択されたコンポーネントキャリア内で）動的に選択される場合がある。
【００６４】
[0074]  ＵＥ２１５は、ブロードキャストチャネルの送信のための始点を指示する開始シンボルインデックスで事前構成され得る。たとえば、ＵＥ２１５は、スロットの開始シンボルインデックス、たとえば、第３のシンボル（Ｓ２）、または第４のシンボル（Ｓ３）で事前構成され、ＰＤＳＣＨ２２５がスロットの第３のシンボル（Ｓ２）または第４のシンボル（Ｓ３）の間に生じ得るか、またはその時点で開始し得ることを指示し得る。ＵＥ２１５は、ＲＡＣＨ手順の間に、基地局２０５から受信された制御情報に基づいて、ＰＤＳＣＨ２２５の送信のための始点に関する開始シンボルインデックスを推論または決定することもできる。たとえば、基地局２０５は、ＲＡＣＨ手順の間に、ＰＢＣＨを介して何らかの制御情報をＭＩＢ内でＵＥ２１５に送信し得る。ＭＩＢは、スロット内の最初のＤＭＲＳロケーション（たとえば、開始シンボル）をＵＥ２１５に指示し得るフラグまたはフィールドを含み得る。ＭＩＢ内で提供されるこの情報は、基地局２０５が、長さが最高で２個または３個のシンボルの制御リソース要素（すなわち、コアセット）をサポートし得ることをＵＥ２１５に指示し得る。すなわち、ＵＥ２１５は、最初のＤＭＲＳのロケーションに基づいて、基地局２０５が、スロットの第１のシンボルと第２のシンボルと（たとえば、シンボルＳ０とＳ１と）の間にまたは第１のシンボルと、第２のシンボルと、第３のシンボルと（たとえば、シンボルＳ０からＳ２）の間にＰＤＣＣＨを介してコアセットをＵＥ２１５に提供し得ることを推論または決定し得る。ＰＤＣＣＨ上のコアセット送信に関連するシンボルインデックスを知ることに加えて、ＵＥ２１５は、コアセット送信シンボルインデックスから、ＰＤＳＣＨ２２５の送信および次のデータ送信のための始点を指示する開始シンボルインデックスを推論または決定することもできる。たとえば、コアセットがスロット内の３個のシンボルの長さに及ぶ場合、ＵＥ２１５は、ブロードキャスト情報（たとえば、ＲＭＳＩ、ＯＳＩ、またはその両方）を搬送するＰＤＳＣＨ２２５の始点が第４のシンボル（たとえば、Ｓ３）において発生し得ることを推論または決定し得る。
【００６５】
[0075]  ブロードキャストチャネル送信のための開始シンボルインデックスは、複信モード（たとえば、ＴＤＤまたはＦＤＤ）に基づいて構成されてもよい。たとえば、ＰＤＳＣＨ２２５は、複信モードに基づいて、いくつかの時間リソースまたは周波数リソースに及んでよい。この場合、ＵＥ２１５は、ＴＤＤのためのＰＤＳＣＨ２２５の開始シンボルインデックスまたはＦＤＤのためのＰＤＳＣＨ２２５のリソース要素インデックス（たとえば、サブキャリアインデックスおよびシンボルインデックス）を推論または決定し得る。
【００６６】
[0076]  ＵＥ２１５は、ＰＤＳＣＨ２２５の送信のための終点を指示する終了シンボルインデックスで事前構成されてもよい。基地局２０５は、単一の送信のための構成をサポートし得る。たとえば、基地局２０５は、ユニキャストＰＤＳＣＨ送信をサポートし得る。基地局２０５は、いくつかの異なる送信（たとえば、ユニキャストおよびマルチキャスト）をブロードキャストすることをやはりサポートし得る。たとえば、基地局２０５は、中でも、ダウンリンク送信専用、ダウンリンクセントリック送信、アップリンクセントリック送信をサポートし得る。したがって、基地局２０５は、異なる送信タイプの数に基づいて、所定の終了シンボルインデックスのリストまたはセットを有し得る。これは、結果的に、ユニキャスト送信と比較して、マルチキャスト送信に関するＤＣＩ内のフィールドの長さをより長くさせ得る。場合によっては、基地局２０５は、制御メッセージ（たとえば、ＤＣＩ）内のフィールドの長さを低減するために所定の終了シンボルのサブセットを選択およびアグリゲートし得る。たとえば、ユニキャストの場合、基地局２０５は、ＰＤＳＣＨに関する２個の所定の終了シンボルインデックスのうちの１つをＵＥ２１５に指示するためにＤＣＩフィールド内の単一のビットを使用し得る。
【００６７】
[0077]  マルチキャストの場合は、しかしながら、基地局２０５は、終了シンボルインデックスの動的指示をＵＥ２１５に提供するために所定の終了シンボルのサブセットをアグリゲートし得る。たとえば、基地局２０５は、ダウンリンク専用送信（たとえば、スロットのすべての１４個のダウンリンクシンボル）、ダウンリンクセントリック送信（たとえば、１２個のダウンリンクシンボル、１個のギャップシンボル、および１個のアップリンクシンボル）、またはアップリンクセントリック送信をサポートすることを選択し得る。この例では、基地局２０５は、ＤＣＩ内のＤＣＩフィールドのビット値を設定することによって、サポートされる送信を指示し得る。たとえば、ビット値を「１」に設定することは、ダウンリンク専用送信（downlink-only transmission）およびダウンリンクセントリック送信（downlink-centric transmission）に対応し得る。追加または代替として、基地局２０５は、ＤＣＩフィールドのビット値を「０」に設定することによって、ダウンリンクセントリック送信とアップリンクセントリック送信とを指定し得る。これは、基地局２０５が、異なる送信に対するサポートを動的に指示することによって、ＤＣＩ内のフィールドの長さを低減することを可能にする。代替として、基地局２０５は、基地局２０５がＰＤＳＣＨ２２５に関連する（たとえば、異なるスロット、サブフレーム、およびフレームフォーマットにおける）異なる送信をサポートすることをＵＥ２１５に指示するために複数のビットを使用し得る。
【００６８】
[0078]  基地局２０５は、いくつかの例では、基地局２０５によって使用されているスロットフォーマットを指示し得るスロットフォーマットインジケータ（ＳＦＩ：slot format indicator）をＵＥ２１５に提供することができる。たとえば、基地局２０５は、基地局２０５によって使用されるスロットフォーマットがダウンリンク専用送信、ダウンリンクセントリック送信などであることをＵＥ２１５に指示し得るＳＦＩを、グループ共通（ＧＣ）ＰＤＣＣＨ（ＧＣ−ＰＤＣＣＨ）を介してＵＥ２１５に送信し得る。場合によっては、ＧＣ−ＰＤＣＣＨの送信は、保証されないことがある。たとえば、基地局２０５は、ＧＣ−ＰＤＣＣＨをＵＥ２１５に送信するのを控えることができる。加えて、ＵＥ２１５は、ＧＣ−ＰＤＣＣＨを連続的に監視するように構成されないこともある。結果として、ＵＥ２１５は、基地局２０５によって使用されるスロットフォーマットを識別するために、ＳＦＩを受信することに依存しないことがある。
【００６９】
[0079]  場合によっては、ＵＥ２１５は、所定の終了シンボルインデックスのセットに基づいて、ＰＤＳＣＨ２２５に関する終了シンボルインデックスを推論または決定し得る。たとえば、ＵＥ２１５は、サポートされる送信指示をＤＣＩを介して基地局２０５から受信し得る。サポートされる送信指示を使用して、ＵＥ２１５は、ＰＤＳＣＨ２２５に関連する１つまたは複数の可能な終了シンボルインデックスを推論または決定し得る。たとえば、ダウンリンク専用送信の場合、ＵＥ２１５は、可能な終了シンボルインデックスがスロットの第１４のシンボル（Ｓ１３）であり得ると推論または決定し得る。別の例では、ダウンリンクセントリック送信の場合、ダウンリンクセントリック送信は、第１３および第１４のシンボルがギャップ送信もしくはアップリンク送信、またはその両方のために使用されることをＵＥ２１５に指示し得るため、ＵＥ２１５は、ＰＤＳＣＨ２２５の送信に関する可能な終了シンボルインデックスがスロットの第１１のシンボル（Ｓ１０）または第１２のシンボル（Ｓ１１）であり得ると推論または決定し得る。基地局２０５またはＵＥ２１５は、したがって、ＰＤＳＣＨ２２５を復号し、ＰＤＳＣＨ２２５をＤＣＩ内に指示されるシンボルの数にレートマッチングし得る。
【００７０】
[0080]  基地局２０５は、場合によっては、ＰＤＳＣＨ２２５の長さ（たとえば、開始ダウンリンクシンボルインデックスから終了ダウンリンクシンボルインデックスまでの持続時間もしくは期間、またはＯＦＤＭシンボルスパン）をＵＥ２１５に提供し得る。すなわち、基地局２０５は、ＰＤＳＣＨ２２５に関する開始シンボルインデックスもしくは終了シンボルインデックス、またはその両方をＵＥ２１５に明示的に提供し得る。いくつかの例では、基地局２０５は、追加のブロードキャスト情報（すなわち、ＲＭＳＩ２３５、ＯＳＩ２４０）を搬送するＰＤＳＣＨ２２５の終了シンボルインデックスを指示する制御メッセージをＵＥ２１５に提供し得る。たとえば、基地局２０５は、ＤＣＩのフィールド内にＰＤＳＣＨ２２５の長さを提供し得る。基地局２０５にブロードキャストチャネルの終了シンボルインデックスの指示をＵＥ２１５に提供させることによって、ＤＣＩサイズは、ＰＤＣＣＨ上で送信されるＤＣＩの既存の寸法と比較してより大きく（たとえば、ＤＣＩビットの増大数に）なり得る。
【００７１】
[0081]  基地局２０５は、ＰＤＳＣＨのダウンリンクシンボルの長さを認識している場合もある。ダウンリンクシンボルの長さを知ることに基づいて、基地局２０５は、その長さをダウンリンクシンボルのセットの数に量子化し得る。長さを量子化するとすぐに、基地局２０５は、ダウンリンクシンボルのセットを選択し、ＤＣＩフィールド内にその選択を指示することができる。たとえば、第１のセットは、ＰＤＳＣＨに関する１０個から１２個のダウンリンクシンボル（たとえば、Ｓ０〜Ｓ９またはＳ０〜Ｓ１０）を含み得、第２のセットは、１３個または１４個のダウンリンクシンボル（たとえば、Ｓ０〜Ｓ１２またはＳ０〜Ｓ１３）を含み得る。この場合、基地局２０５は、少なくとも１個のビット値を使用して、第１のセットまたは第２のセットを指示し得る。たとえば、基地局２０５は、第１のセット（たとえば、Ｓ０〜Ｓ９またはＳ０〜Ｓ１０）を指示するためにＤＣＩフィールド内のビット値を「１」に設定するか、または第２のセット（たとえば、Ｓ０〜Ｓ１２またはＳ０〜Ｓ１３）を指示するためにＤＣＩフィールド内のビット値を「０」に設定することができる。いくつかの例では、ＤＭＲＳパターンは、ＤＣＩフィールド内のビット値に関連付けられ得る。すなわち、ＤＭＲＳパターンは、そのビット値に応じてやはり変化し得る。たとえば、ＤＭＲＳパターンは、ＤＣＩフィールド内で「０」に設定されたビット値と比較して、「１」に設定されたビット値に対して異なり得る。
【００７２】
[0082]  図３Ａから図３Ｈは、本開示の態様による、ブロードキャストチャネルのためのレートマッチングをサポートする例示的な構成３００−ａから３００−ｈを示す。場合によっては、構成３００−ａから３００−ｈは、本開示の態様による、スケジューリングユニットの間にブロードキャストチャネルのためのレートマッチングをサポートし得る。場合によっては、スケジューリングユニットは、サブフレームのスロットまたはＴＴＩの１つもしくは複数のシンボル期間であってよい。場合によっては、１つまたは複数のシンボル期間は、異なるサイズを有し（たとえば、異なるヌメロロジー（numerology）、異なるサブキャリア間隔（ＳＣＳ：subcarrier spacing）を有し）得る。加えて、スケジューリングユニットごとのシンボル期間の数は、拡張サイクリックプレフィックスまたはノーマルサイクリックプレフィックスのうちのどちらが使用されているかに依存し得る。場合によっては、ＴＴＩは、１４個のシンボルを含み得るスロット、またはいくつかのシンボル、たとえば、１個から１４個のシンボルを含み得るミニスロットを指すことがある。ＴＴＩは、アグリゲートスロットプラススロット（aggregated slot plus slot）、またはミニスロットプラスミニスロット（mini-slot plus mini-slot）、スロットプラスミニスロット（slot plus mini-slot）などを指すこともある。いくつかの例では、構成３００−ａから３００−ｈは、システム１００および２００の態様を実装し得る。
【００７３】
[0083]  構成３００−ａから３００−ｈは、ＴＴＩ３０５を含み得る。ＴＴＩ３０５は、いくつかのシンボル期間（たとえば、Ｓ０からＳ１３）を含み得る。構成３００−ａから３００−ｈは、帯域幅３１０を含んでもよい。帯域幅３１０は、いくつかのサブバンド、およびコンポーネントキャリア、または各サブバンド内のサブキャリアを含み得る。場合によっては、構成３００−ａから３００−ｈは、ＵＥ２１５もしくは基地局２０５、またはその両方によって提供される異なる情報の交換を含み得る。たとえば、制御情報３２５、ＤＭＲＳ３２０、リソース要素上のＰＤＳＣＨ送信、および雑多情報（miscellaneous information）（たとえば、ＧＡＰ、アップリンク送信、またはダウンリンクチャネル状態情報基準信号（ＣＳＲ−ＲＳ）送信など）。構成３００−ａから３００−ｈのリソース要素は、ＰＤＳＣＨデータシンボルを含み得る。
【００７４】
[0084]  場合によっては、ＵＥ２１５は、ＴＴＩ３０５の間に、ダウンリンクシンボルＳ０およびＳ１の間に、構成３００−ａおよび３００−ｂに基づいて、制御情報３１５を受信し得る。たとえば、ＵＥ２１５は、ダウンリンクシンボルＳ０およびＳ１の間に基地局２０５から送信されたＤＣＩ内でフィールドを受信し、ＤＣＩのフィールド内のビット値に基づいて、ＰＤＳＣＨの送信のために選択されたダウンリンクシンボルのセットを識別し得る。ＵＥ２１５は、ビット値に基づいて、ＤＭＲＳパターンを識別することもできる。ＤＭＲＳパターンは、ＵＥ２１５に対するＤＭＲＳ３２０の送信を指示し得る。この場合、ＤＭＲＳパターンは、ＴＴＩ３０５の間のダウンリンクシンボルＳ２〜Ｓ３およびＳ８〜Ｓ９上のＤＭＲＳ送信を含む。代替として、構成３００−ｃおよび３００−ｄに基づいて、ＤＭＲＳパターンは、ＵＥ２１５に対するＤＭＲＳ３２０の異なる送信を指示し得る。たとえば、この場合、ＤＭＲＳパターンは、ＴＴＩ３０５の間のダウンリンクシンボルＳ３〜Ｓ４およびＳ８〜Ｓ９上のＤＭＲＳ送信を含む。加えて、構成３００−ａから３００−ｄの例では、ＵＥ２１５は、終了ダウンリンクシンボルが１０個から１２個のダウンリンクシンボル（たとえば、Ｓ９、Ｓ１０、またはＳ１１）の１つであり得ることを識別し得る。
【００７５】
[0085]  場合によっては、ＤＣＩのフィールドがＰＤＳＣＨの異なる可能な終了ダウンリンクシンボルのセットを指示する場合、ＵＥ２１５は、ＤＭＲＳパターンを知ることができ、チャネル推定を実行し得る。しかしながら、ＰＤＳＣＨ終了ダウンリンクシンボル（すなわち、Ｓ９、Ｓ１０、またはＳ１１）上にあいまいさが依然として存在し得る。ＵＥ２１５は、したがって、すべての可能な終了ダウンリンクシンボル（すなわち、Ｓ９、Ｓ１０、またはＳ１１）に対してブラインド復号を実行することができ、ブラインド復号の結果に基づいて、ＰＤＳＣＨの真の終了ダウンリンクシンボル位置を識別することができる。たとえば、構成３００−ａまたは３００−ｃに基づいて、ＵＥ２１５は、ＰＤＳＣＨに関する真の終了ダウンリンクシンボルがＳ１０であると識別し得る。代替として、ＵＥ２１５は、ブラインド復号に基づいて、ＰＤＳＣＨの異なる終了ダウンリンクシンボル位置を識別し得る。たとえば、構成３００−ｂまたは３００−ｄに基づいて、ＵＥ２１５は、ＰＤＳＣＨに関する終了ダウンリンクシンボルがＳ１１であり、前の例におけるようにＳ１０ではないことを識別し得る。
【００７６】
[0086]  場合によっては、ＵＥ２１５は、構成３００−ｅおよび３００−ｆに基づいて、ＴＴＩ３０５の間にダウンリンクシンボルＳ０およびＳ１上で制御情報３１５を受信し得る。たとえば、ＵＥ２１５は、ダウンリンクシンボルＳ０およびＳ１上で基地局２０５から送信されたＤＣＩ内でフィールドを受信し、ＤＣＩのフィールド内のビット値に基づいて、ＰＤＳＣＨの送信（すなわち、基地局２０５による）のために選択されたダウンリンクシンボルのセットを識別することができる。ＵＥ２１５は、ビット値に基づいて、ＤＭＲＳパターンを識別することもできる。ＤＭＲＳパターンは、ＵＥ２１５に対するＤＭＲＳ３２０の送信を指示し得る。これらの例示的な構成では、ＤＭＲＳパターンは、ダウンリンクシンボルＳ２〜Ｓ３およびＳ１０〜Ｓ１１上のＤＭＲＳ送信を含み得る。代替として、構成３００−ｇおよび３００−ｈに基づいて、ＤＭＲＳパターンは、ＵＥ２１５に対するＤＭＲＳ３２０の異なる送信を指示し得る。たとえば、これらの構成では、ＤＭＲＳパターンは、ダウンリンクシンボルＳ３〜Ｓ４およびＳ１０〜Ｓ１１上のＤＭＲＳ送信を含み得る。加えて、構成３００−ｅから３００−ｈの例では、ＵＥ２１５は、ＤＭＲＳパターンおよびダウンリンクシンボルのセットの指示に基づいて、終了ダウンリンクシンボルがＴＴＩ３０５の間の第１３のシンボル（Ｓ１２）または第１４のシンボル（Ｓ１３）であり得ると識別し得る。
【００７７】
[0087]  ＵＥ２１５は、したがって、すべての可能な終了ダウンリンクシンボル（すなわち、Ｓ１２およびＳ１３）に対してブラインド復号を実行することができ、ブラインド復号に基づいて、ＰＤＳＣＨの真の終了ダウンリンクシンボル位置を識別することができる。たとえば、構成３００−ｅまたは３００−ｇに基づいて、ＵＥ２１５は、ＰＤＳＣＨに関する真の終了ダウンリンクシンボルがＳ１２であると識別し得る。代替として、ＵＥ２１５は、ブラインド復号に基づいて、ＰＤＳＣＨの異なる終了ダウンリンクシンボル位置を識別し得る。たとえば、構成３００−ｆまたは３００−ｈに基づいて、ＵＥ２１５は、ＰＤＳＣＨに関する終了ダウンリンクシンボルがＳ１３であり、前の例におけるようにＳ１２ではないことを識別し得る。
【００７８】
[0088]  図２に戻ると、ＵＥ２１５は、基地局２０５から送信されたＤＣＩ内でフィールドを受信し、基地局２０５が選択したセットを識別し得る。したがって、ＵＥ２１５は、ＤＣＩのフィールド内でセットによって指示されたダウンリンクシンボルの長さに対してブラインド復号を実行し得る。代替として、基地局２０５は、ＰＤＳＣＨに関連するダウンリンクシンボルの長さを量子化することを控えることができる。たとえば、基地局２０５は、最小ダウンリンクシンボル数から最大ダウンリンクシンボル数までのフルセット（たとえば、スロットのすべてのダウンリンクシンボル）であり得る、ダウンリンクシンボルの単一のセットを選択し得る。この場合、基地局２０５は、ＤＣＩのフィールド内のフルセットを指示しなくてもよい（たとえば、ＤＣＩフィールド内に何のビットも必要とされない）。ＵＥ２１５は、ＰＤＳＣＨのブラインド復号を依然として実行することができる。
【００７９】
[0089]  場合によっては、基地局２０５は、各ダウンリンクシンボルがセットである（すなわち、各セットが１個のダウンリンクシンボルである）ように、ＰＤＳＣＨのダウンリンクシンボルの長さを量子化し得る。この場合、基地局２０５は、異なる可能なセットを指示するためにＤＣＩのフィールド内に２個以上のビットを含み得る。ＵＥ２１５が基地局２０５からＤＣＩを受信するとき、ＵＥ２１５は、ＰＤＳＣＨの正確な長さを識別し、知ることになるため、これは有利であり得る。その結果、ＵＥ２１５は、ＰＤＳＣＨのブラインド復号を実行せざるを得ない状態を回避することになる。
【００８０】
[0090]  ＵＥ２１５は、ＤＣＩを受信して復号することができる。ＤＣＩを復号した後で、ＵＥ２１５は、どのシンボルが使用されているのかを認識することができ、ＰＤＳＣＨ２２５に関する開始シンボルインデックスもしくは終了シンボルインデックス、またはその両方を識別することができる。たとえば、ＵＥ２１５は、スロット上でＰＤＳＣＨ２２５を検出し、ＰＤＳＣＨ２２５に関連するダウンリンクＯＦＤＭシンボルの数を識別することができる。いくつかの例では、ＤＣＩ内のＤＣＩフィールドは、サポートされる送信（たとえば、ダウンリンク専用送信、ダウンリンクセントリック送信など）を指示することができ、ＵＥ２１５は、ＰＤＳＣＨ２２５の開始シンボルもしくは終了シンボル、またはその両方を識別することができる。ＵＥ２１５は、１つまたは複数の利用可能なシンボル内でブロードキャストチャネルのためのレートマッチングを実行し得る。結果として、ブロードキャストチャネル（すなわち、ＰＤＳＣＨ２２５）に対するスロット選択に関する最小限のスケジューリング制約が基地局２０５に適用されるか、または何のスケジューリング制約も適用されない。ＤＣＩの長さを増大または延長することによって、上記で説明した技法は、ＰＤＳＣＨ２２５の改善された復号性能をＵＥ２１５に提供し得る。
【００８１】
[0091]  基地局２０５は、ＰＤＳＣＨのコーディングされたビットを利用可能なダウンリンクシンボルにレートマッチングし得る。たとえば、基地局２０５が、セット（たとえば、第１のセット（Ｓ９〜Ｓ１１）または第２のセット（Ｓ９〜Ｓ１３））を選択した後で、ＰＤＳＣＨのコーディングされたビットは、そのセット内の最大ダウンリンクシンボル数にレートマッチングされ、次いで、パンクチャリングされ得る。この場合、レートマッチングは、選択されたセット内の最大ダウンリンクシンボル数が利用可能になると想定するが、基地局２０５は、送信されたＰＤＳＣＨに利用可能な実際の数のダウンリンクシンボルのみを送信する。たとえば、ＤＣＩフィールドのビット値が選択されたセットを指示するためにゼロに設定される場合、基地局２０５は、終了ダウンリンクシンボルがレートマッチングを実行するためのスロット内のシンボル１４（Ｓ１３）であると推定し得る。しかしながら、スロットは、１２個のシンボル（Ｓ０〜Ｓ１１）のみを有し得る。この場合、残りのダウンリンクシンボル（Ｓ１２およびＳ１３）は、基地局２０５によって送信されないことになる。代替として、ＤＣＩフィールドのビット値が選択されたセット（たとえば、Ｓ０〜Ｓ９、Ｓ０〜Ｓ１０、またはＳ０〜Ｓ１１）を指示するために１に設定される場合、基地局２０５は、終了ダウンリンクシンボルがレートマッチングを実行するためのスロット内のシンボル１２（Ｓ１１）であると推定し得る。しかしながら、スロットは、１０個のダウンリンクシンボルのみを有し得、したがって、終了ダウンリンクシンボルは、Ｓ０９になり、Ｓ１１ではないことになる。この場合、残りのダウンリンクシンボル（Ｓ１１）は、基地局２０５によってパンクチャリングされることになり、送信されないことになる。
【００８２】
[0092]  基地局２０５およびＵＥ２１５は、固定された送信長をサポートすることによって、ブロードキャストチャネルの送信および受信のための効率的な技法を提供することもできる。基地局２０５に関連するネットワークオペレータは、場合によっては、ＰＤＳＣＨ２２５の送信構成を割り当てる場合がある。たとえば、基地局２０５は、基地局２０５が固定数のダウンリンクシンボル（たとえば、１２個のダウンリンクシンボル）を用いてスロット内で追加のブロードキャスト情報（たとえば、ＲＭＳＩ２３５、ＯＳＩ２４０、またはその両方）を搬送するＰＤＳＣＨ２２５を送信することを必要とし得るスロットフォーマットで構成され得る。ＵＥ２１５は、固定送信長を指示する情報で事前構成されていることに基づいて、固定送信長を認識し得る。
【００８３】
[0093]  代替として、基地局２０５は、サポートされる送信構成に基づいて、スロット内のＰＤＳＣＨ２２５に固定数のダウンリンクシンボルを割り当てることができる。たとえば、基地局２０５は、ＰＤＳＣＨ２２５に関するダウンリンクシンボルの数（たとえば、ｎ個のダウンリンクシンボル、ここで、ｎは正の整数である）を割り当てることができる。いくつかの例では、ダウンリンクシンボルの数は、ＲＭＳＩ２３５、ＯＳＩ２４０、またはその両方を搬送するＰＤＳＣＨ２２５に基づいて異なり得る。たとえば、ＲＭＳＩを搬送するＰＤＳＣＨは、ＯＳＩを搬送するＰＤＳＣＨと比較して、より多くのダウンリンクシンボルを有し得る。
【００８４】
[0094]  いくつかの例では、スロットのシンボルの残りは、シンボルの可用性を考慮してすら、ＰＤＳＣＨ２２５のために使用されないことがある。この場合、基地局２０５がＰＤＳＣＨ２２５を送信することができるように、基地局２０５はスロットを切り捨てることができる。これは、基地局２０５が、ＰＤＳＣＨ２２５に関するダウンリンクシンボルの選択された数よりも少ないダウンリンクシンボルを有するスロットに関するＰＤＳＣＨ２２５の送信を控えることを必要とし得るスケジューリング制約を導くこともある。場合によっては、基地局２０５は、サポートされる送信構成（たとえば、事前構成された規則）に基づいて、追加のブロードキャスト情報（たとえば、ＲＭＳＩ２３５、ＯＳＩ２４０、またはその両方）の送信のために使用するために同じまたは異なる数のダウンリンクシンボルを割り当てて選択することができる。ＰＤＳＣＨ２２５の固定送信長をサポートすることによって、ＵＥ２１５がＰＤＳＣＨ２２５の復号（たとえば、レートマッチング）を実行するためのあいまいさは存在しない。また、ＵＥ２１５および基地局２０５は、ＰＤＳＣＨ２２５の固定送信長を指示する情報で事前構成されるため、追加のＤＣＩビットも導入されない。
【００８５】
[0095]  基地局２０５およびＵＥ２１５は、ＰＤＳＣＨ２２５に関連するスロットをパンクチャリングすることによって、追加のブロードキャスト情報（たとえば、ＲＭＳＩ２３５、ＯＳＩ２４０）を受信するための効率的な技法をサポートすることもできる。基地局２０５は、スロットのいくつかのシンボルの間に、ＲＭＳＩ２３５もしくはＯＳＩ２４０、またはその両方を搬送するＰＤＳＣＨ２２５を送信し得る。場合によっては、基地局２０５は、送信構成（たとえば、ダウンリンクセントリックスロット、ダウンリンク専用スロット）に基づいて、ＰＤＳＣＨ２２５を送信し得る。ＵＥ２１５は、送信構成に基づいてＰＤＳＣＨ２２５に関する固定長を推定し、ＰＤＳＣＨ２２５を復号することができる。場合によっては、スロットが予想されるシンボルの数を含まない場合、基地局２０５は、ダウンリンクシンボルではないシンボル（たとえば、ギャップおよび／またはアップリンクシンボル）をパンクチャリングし得る。場合によっては、送信構成は、ＰＤＳＣＨ２２５に関連する最小ダウンリンクシンボル数もしくは最大ダウンリンクシンボル数、またはその両方を含み得る。たとえば、最小ダウンリンクシンボル数は、１０個のダウンリンクシンボルであってよく、最大ダウンリンクシンボル数は、１４個のダウンリンクシンボル（すなわち、ＮＲスロットのサイズ）であってよい。
【００８６】
[0096]  ＵＥ２１５は、ＰＤＳＣＨ２２５に対して基地局２０５によって使用されることになるシンボルの数（たとえば、ダウンリンクＯＦＤＭシンボルの数）を認識していないことがある。この場合、ＵＥ２１５は、事前構成された規則（たとえば、条件のセット、仮説）に基づいて、ブラインド復号を実行し得る。事前構成された規則は、ＰＤＳＣＨ２２５に対して基地局２０５によって使用されるダウンリンクシンボルの数を指示し得る。事前構成された規則は、ＰＤＳＣＨ２２５に関連するダウンリンクシンボルのセットを含み得るか、またはそれを指示し得る。たとえば、ダウンリンクシンボルのセットは、たとえば、ＰＤＳＣＨ２２５が以下の長さ、すなわち、ダウンリンクシンボル１０個の長さ、ダウンリンクシンボル１１個の長さ、ダウンリンクシンボル１２個の長さ、ダウンリンクシンボル１３個の長さ、ダウンリンクシンボル１４個の長さ、またはそれらの組合せに及び得ることを指示するオプションのセットを提供し得る。
【００８７】
[0097]  ＵＥ２１５は、複数のダウンリンクシンボルにわたって、ＲＲＣ接続状態から外れている間に、基地局２０５からＰＤＳＣＨ２２５を受信し得る。場合によっては、ＵＥ２１５は、複数のダウンリンクシンボルの第１のセットにわたってＰＤＳＣＨ２２５のブラインド復号を実行し得る。ブラインド復号を実行するとすぐに、ＵＥ２１５は、ＰＤＳＣＨ２２５のブラインド復号が成功したかまたは不成功であったかを決定し得る。たとえば、ＵＥ２１５は、ＰＤＳＣＨ２２５上で搬送される（たとえば、ブロードキャスト情報（ＲＭＳＩ、ＯＳＩ）を含む）コードワード、トランスポートブロック、またはパケットに関連するビットエラーまたはコードブロックＣＲＣを決定し得る。ビットエラーまたはＣＲＣに基づいて、ＵＥ２１５は、ＰＤＳＣＨ２２５のブラインド復号が成功したかまたは不成功であったかを決定し得る。場合によっては、ＵＥ２１５は、ＰＤＳＣＨ２２５のブラインド復号の前の失敗に基づいて、複数のダウンリンクシンボルの第２のセットの間にＰＤＳＣＨ２２５の第２のブラインド復号を実行し得る。第２のセットの長さは、第１のセットとは異なり得る。たとえば、ＵＥ２１５は、ＰＤＳＣＨ２２５の長さが１０個のダウンリンクシンボルであると想定することができ、ブラインド復号を実行した後で、ＵＥ２１５は、ＰＤＳＣＨ２２５の異なる長さ、たとえば、長さが１１個のダウンリンクシンボルであることを想定することができる。したがって、ＵＥ２１５がＰＤＳＣＨ２２５のブラインド復号が成功であったと決定するまで、ＵＥ２１５は、ダウンリンクシンボルの異なるセットを想定して、ブラインド復号動作を繰り返すことができる。ＵＥ２１５が、ＰＤＳＣＨ２２５のブラインド復号が成功したと決定するまで、ＵＥ２１５は、たとえば、ＤＣＩを介して、ＵＥ２１５に指示されたダウンリンクシンボルのすべての可能なセットを使用してブラインド復号動作を繰り返すこともできる。
【００８８】
[0098]  ＰＤＳＣＨ２２５に関連するダウンリンクシンボルのセットがランク付けされ得る。たとえば、ＵＥ２１５は、最高性能（たとえば、わずかな対数尤度比（ＬＬＲ:
log-likelihood ratio）または皆無のＬＬＲ）を生じさせた、前の成功したブラインド復号動作を追跡してランク付けするために学習アルゴリズムを使用し得る。ＵＥ２１５は、ＰＤＳＣＨ２２５のコーディングされたビットが最小ダウンリンクシンボル数内であることに基づいて、ＰＤＳＣＨ２２５のコーディングされたビットのＬＬＲのソフト合成を実行し得る。場合によっては、ＵＥ２１５が、ダウンリンクシンボルの長さがＰＤＳＣＨ２２５のダウンリンクシンボルのセットよりも短いダウンリンクシンボルのセットを選択する場合、一部のＬＬＲは使用されないことがあり、ＵＥ２１５に対する性能損失が存在することになる。代替として、ＵＥ２１５が、長さがＰＤＳＣＨ２２５のダウンリンクシンボルのセットよりも長いダウンリンクシンボルのセットを選択する場合、復号のために一部の不正確なＬＬＲが使用されることがあり、結果として、ＵＥ２１５に対してより大きな性能損失が存在することになる。ＵＥ２１５は、事前構成された規則に基づいて、複数のダウンリンクシンボルの第１のセットまたは複数のダウンリンクの第２のセットを選択し得る。事前構成された規則は、複数のダウンリンクシンボルの最小ダウンリンクシンボル数または最大ダウンリンクシンボル数を含み得るか、またはそれを指示し得る。場合によっては、最小ダウンリンクシンボル数もしくは最大ダウンリンクシンボル数、またはその両方は、基地局２０５から送信されるＤＣＩ内に指示され得る。場合によっては、ＵＥ２１５は、ＤＣＩ内で受信されたＤＣＩフィールド内のビット値に基づいて、ＰＤＳＣＨを送信するために使用されるダウンリンクシンボルの長さを識別し得る。
【００８９】
[0099]  ＵＥ２１５は、再送信のためにソフト合成を実行することもできる。場合によっては、ＵＥ２１５は、ダウンリンクシンボルの選択されたセットがＰＤＳＣＨ２２５のダウンリンクシンボルよりも短いＬＬＲに対してソフト合成を実行し得る。たとえば、ＵＥ２１５は、複数のダウンリンクシンボルの第１のセットおよび複数のダウンリンクシンボルの第２のセットの長さが、基地局から送信されたＰＤＳＣＨの複数のダウンリンクシンボルに関連する長さと比較してそれ以上であることに基づいて、第１のセットおよび第２のセットに関連するＰＤＳＣＨの複数のダウンリンクシンボルのソフト合成を実行し得る。
【００９０】
[0100]  いくつかの例では、基地局２０５は、ＰＤＳＣＨ２２５に対して複数の異なる長さ（たとえば、異なる量のダウンリンクシンボルのセット）を構成する。たとえば、ネットワークオペレータおよびネットワークアドミニストレータは、ＰＤＳＣＨ２２５に使用される複数の長さのダウンリンクシンボルを割り当て、デバイス起動（たとえば、初期化）の間の構成として複数の長さをＵＥ２１５または基地局２０５に提供することができる。基地局２０５は、ＤＣＩの１つもしくは複数のＤＣＩフィールド、または異なる長さのＰＤＳＣＨ２２５を指示するために１つもしくは複数のビットを使用する、単一のＤＣＩフィールドを使用して、複数の異なる長さを指示し得る。基地局２０５は、複数の異なる最大ダウンリンクシンボルインデックス（maximum downlink symbol index）を構成することもできる。同様に、基地局２０５は、ＤＣＩフィールド内の少なくとも１個のビットを使用して、異なる最大ダウンリンクシンボルインデックスを指示し得る。たとえば、基地局２０５は、ダウンリンクシンボル１０（Ｓ９）から１２（Ｓ１１）がＰＤＳＣＨ２２５の最大ダウンリンクシンボルに関連付けられることを指示するために、ビット値を「１」に設定することができる。別の例では、基地局２０５は、ダウンリンクシンボル１３（Ｓ１２）および１４（Ｓ１３）がＰＤＳＣＨ２２５の最大ダウンリンクシンボルに関連付けられることを指示するために、ビット値を「０」に設定することができる。これは、結果的に、ＤＣＩに対してより少数のビット使用をもたらし、ＵＥ２１５により少ないブラインド復号を実行させることになる。ＲＭＳＩ２３５は、基地局２０５がパンクチャリングするためにより短く、より容易な場合がある一方、ＯＳＩ２４０は、より長い場合があり、正確なレートマッチングと合成とを使用することによって、ＲＭＳＩ２３５の長さが性能と複雑さとを改善し得ることを指示する。
【００９１】
[0101]  ＰＤＳＣＨ２２５に対する長さ（たとえば、ダウンリンクシンボルの数、開始ダウンリンクシンボルおよび終了ダウンリンクシンボル）をＵＥ２１５に指示することによって、ＵＥ２１５は、ＲＲＣ接続状態から外れている間に、追加のブロードキャスト情報を搬送するＰＤＳＣＨ２２５を受信して復号することができる。結果として、これは、レイテンシを低減し、システム２００に対してより良好な効率を提供し得る。
【００９２】
[0102]  図４は、本開示の態様による、ブロードキャストチャネルのためのレートマッチングをサポートするプロセスフロー４００の一例を示す。いくつかの例では、プロセスフロー４００は、システム１００および２００の態様を実装し得る。基地局４０５およびＵＥ４１５は、図１および図２を参照しながら説明した対応するデバイスの例であり得る。
【００９３】
[0103]  プロセスフロー４００の以下の説明では、基地局４０５とＵＥ４１５との間の動作は、示される例示的な順序とは異なる順序で送信されてよいか、または基地局４０５およびＵＥ４１５によって実行される動作は、異なる順序もしくは異なる時間に実行されてよい。いくつかの動作がプロセスフロー４００から省かれてもよく、または他の動作がプロセスフロー４００に追加されてよい。いくつかの例では、プロセスフロー４００は、基地局４０５がＵＥ４１５との接続を確立するのと同時に開始し得る。基地局４０５は、それぞれのアップリンク通信のための無線リソースをＵＥ４１５に提供し得る。追加または代替として、基地局。
【００９４】
[0104]  ４２０において、基地局４０５は、ブロードキャスト情報を搬送するＰＤＳＣＨをＵＥ４１５に送信するために使用されるダウンリンクシンボルの長さを識別し得る。ブロードキャスト情報は、ＲＭＳＩもしくはＯＳＩ、またはその両方を含み得る。場合によっては、基地局４０５は、ＵＥ４１５がＲＲＣ接続状態から外れている間に、ＰＤＳＣＨをＵＥ４１５に送信し得る。ＰＤＳＣＨを送信するために使用されるダウンリンクシンボルの長さは、固定長のダウンリンクシンボルであってよい。場合によっては、長さは、開始ダウンリンクシンボルインデックスから終了ダウンリンクシンボルインデックスまでであってよい。基地局４０５は、ＰＤＳＣＨのダウンリンクシンボルの長さを認識し得る。ダウンリンクシンボルの長さを知ることに基づいて、基地局４０５は、その長さをダウンリンクシンボルのセットの数に量子化することができる。長さを量子化するとすぐに、基地局４０５は、ダウンリンクシンボルのセットを選択し、ＤＣＩフィールド内にその選択を指示することができる。たとえば、第１のセットは、ＰＤＳＣＨに対する１０個から１２個のダウンリンクシンボル（たとえば、Ｓ０〜Ｓ９またはＳ０〜Ｓ１０）を含み得、第２のセットは、１３個または１４個のダウンリンクシンボル（たとえば、Ｓ０〜Ｓ１２またはＳ０〜Ｓ１３）を含み得る。この場合、基地局４０５は、少なくとも１個のビット値を使用して、第１のセットまたは第２のセットを指示することができる。たとえば、基地局４０５は、第１のセット（たとえば、Ｓ０〜Ｓ９またはＳ０〜Ｓ１０）を指示するためにＤＣＩフィールド内のビット値を「１」に設定するか、または第２のセット（たとえば、Ｓ０〜Ｓ１２またはＳ０〜Ｓ１３）を指示するためにＤＣＩフィールド内のビット値を「０」に設定することができる。場合によっては、ＤＭＲＳパターンは、そのビット値に応じてやはり変化し得る。代替として、基地局４０５は、ＰＤＳＣＨに関連するダウンリンクシンボルの長さを量子化することを控えることができる。たとえば、基地局４０５は、最小ダウンリンクシンボル数から最大ダウンリンクシンボル数までのフルセット（たとえば、スロットのすべてのダウンリンクシンボル）であり得る、ダウンリンクシンボルの単一のセットを選択し得る。この場合、基地局４０５は、ＤＣＩのフィールド内のフルセットを指示する必要がない場合がある（たとえば、ＤＣＩフィールド内に何のビットも必要とされない）。場合によっては、基地局４０５は、各ダウンリンクシンボルがセットである（すなわち、各セットが１個のダウンリンクシンボルである）ように、ＰＤＳＣＨのダウンリンクシンボルの長さを量子化し得る。この場合、基地局４０５は、異なる可能なセットを指示するためにＤＣＩのフィールド内に２個以上のビットを含み得る。
【００９５】
[0105]  ４２５において、基地局４０５はＵＥ４１５にメッセージ（message）を送信し得る。メッセージは、ＰＤＳＣＨを送信するために使用されるダウンリンクシンボルの長さの指示であり得る。場合によっては、メッセージはＤＣＩであり得る。
【００９６】
[0106]  ４３０において、ＵＥ４１５は、ＰＤＳＣＨを送信するために基地局４０５によって使用されるダウンリンクシンボルの長さを識別し得る。たとえば、ＵＥ４１５は、ＤＣＩを受信し、ＤＣＩフィールドおよびＤＣＩフィールド内のビット値に基づいて、長さを識別し得る。代替として、ＵＥ４１５は、ＰＤＳＣＨを送信するために基地局４０５によって使用される、異なる長さのダウンリンクシンボルのセットで事前構成（preconfigure）され得る。たとえば、ネットワークオペレータおよびネットワークアドミニストレータは、ＰＤＳＣＨの送信および受信に対して使用されるダウンリンクシンボルの長さのセットを割り当て、デバイス起動（たとえば、初期化）の間の構成として複数の長さのセットをＵＥ４１５または基地局４０５に提供することができる。
【００９７】
[0107]  ４３５において、基地局４０５はＰＤＳＣＨをＵＥ４１５に送信し得る。基地局４０５は、たとえば、ｍｍＷワイヤレス通信システム内で、１つまたは複数のビーム（たとえば、ｍｍＷビーム）を使用してＰＤＳＣＨを送信し得る。基地局４０５は、ＰＤＳＣＨを送信するために使用されるリソースのヌメロロジーに応じて、シンボルの異なるグループ（たとえば、４個のシンボルのグループ）内でＰＤＳＣＨを送信することもできる。たとえば、基地局４０５は、サブキャリア間隔（たとえば、１５ｋＨｚ）を有するリソースのセット上でＰＤＳＣＨを送信し得る。ＰＤＳＣＨの送信のために使用されるリソースは、フレーム内のいくつかのサブフレームのいくつかのスロット内にあってもよく、ＰＤＳＣＨはいくつかのリソースブロックに及び得る。場合によっては、基地局４０５は、ＰＤＳＣＨをＵＥ４１５に送信する前に、サブフレームのスロット内でコアセットを送信し得る。たとえば、基地局４０５は、ＰＤＳＣＨとブロードキャスト情報とを送信するために使用されるシンボルの前のスロット内の３個のシンボル（たとえば、Ｓ０からＳ２）に対するアクセスを有し得る。この例では、基地局４０５は、ＰＤＳＣＨを送信するために使用されるダウンリンクシンボルの長さの指示を、スロット内の３個のシンボル（たとえば、Ｓ０からＳ２）の間にＰＤＣＣＨ上で、ＤＣＩ内で送信し得る。
【００９８】
[0108]  ４４０において、ＵＥ４１５は、複数のダウンリンクシンボルにわたってＰＤＳＣＨを受信し得る。場合によっては、ＵＥ４１５は、ＲＲＣ接続状態から外れている間に、複数のダウンリンクシンボルにわたってＰＤＳＣＨを受信し得る。ＰＤＳＣＨは、ブロードキャスト情報（たとえば、ＲＭＳＩ、ＯＳＩ）を含み得る。複数のダウンリンクシンボルは、基地局４０５から送信された指示内で提供されたダウンリンクシンボルの長さに対応し得る。
【００９９】
[0109]  ４４５において、ＵＥ４１５は、複数のダウンリンクシンボルの第１のセットにわたってＰＤＳＣＨのブラインド復号を実行し得る。場合によっては、ＵＥ４１５は、事前構成された規則に基づいて、ダウンリンクシンボルのセットの第１のセットを選択し得る（たとえば、ネットワークオペレータおよびネットワークアドミニストレータは、ＰＤＳＣＨの送信および受信のために使用されるダウンリンクシンボルの長さのセットを割り当てることができる）。４５０において、ＵＥ４１５は、複数のダウンリンクシンボルの第１のセットを使用してブラインド復号が成功したかどうかを決定し得る。
【０１００】
[0110]  場合によっては、追加のブロードキャスト情報は、追加のブロードキャスト情報の長さ（たとえば、ビット）と比較して２または３の倍数の長さであり得るコードワードを使用して表され得る。余剰ビットは、ＵＥ４１５が基地局４０５から送信されたＰＤＳＣＨを復号するとき、追加のブロードキャスト情報を復元するための追加の冗長情報を提供し得る。ＵＥ４１５は、しきい値を満たすＰＤＳＣＨ上で搬送されるコードワードまたはパケット（たとえば、ブロードキャスト情報（ＲＭＳＩ、ＯＳＩ）を含む）に関連するビットエラーまたはコードブロックＣＲＣに基づいて、ＰＤＳＣＨが成功裏に復号されたかまたは不成功であったかを決定し得る。たとえば、ＰＤＳＣＨのブラインド復号の実行時に、ＵＥ４１５は、ＣＲＣのビットエラーがしきい値を下回ると決定し得る。結果として、ＵＥ４１５は、ＰＤＳＣＨのブラインド復号（blind decoding）が成功したと決定し得る。
【０１０１】
[0111]  場合によっては、ＵＥ４１５は、基地局４０５から送信されたＰＤＳＣＨを成功裏に復号することに失敗したと決定し得る。この場合、ＵＥ４１５は、基地局４０５がＰＤＳＣＨを再送信するのを待つことができる。ＰＤＳＣＨの成功裏のバインド復号（bind decoding）まで、ＵＥ４１５はこの動作を繰り返すことができる。４５５において、基地局４０５は、ＰＤＳＣＨをＵＥ４１５に送信し得る。基地局４０５からＰＤＳＣＨを受信するとすぐに、４６０において、ＵＥ４１５は、複数のダウンリンクシンボルの第２のセットにわたってＰＤＳＣＨのブラインド復号を実行し得る。ＵＥ４１５は、事前構成された規則に基づいて、ダウンリンクシンボルのセットの第２のセットを選択し得る。ＵＥ４１５が、ＰＤＳＣＨのブラインド復号が成功したと決定するまで、ＵＥ４１５は、たとえば、ＤＣＩを介して、ＵＥ４１５に指示されたダウンリンクシンボルのすべての可能なセットを使用してブラインド復号動作を繰り返すことができる。
【０１０２】
[0112]  図５は、本開示の態様による、ブロードキャストチャネルのためのレートマッチングをサポートするワイヤレスデバイス５０５のブロック図  ５００を示す。ワイヤレスデバイス５０５は、本明細書で説明するＵＥ１１５の態様の一例であり得る。ワイヤレスデバイス５０５は、受信機５１０と、ＵＥブロードキャストチャネルマネージャ（broadcast channel manager）５１５と、送信機５２０とを含み得る。ワイヤレスデバイス５０５は、プロセッサをも含み得る。これらの構成要素の各々は（たとえば、１つまたは複数のバスを介して）互いと通信し得る。
【０１０３】
[0113]  受信機５１０は、パケット、ユーザデータ、または様々な情報チャネルに関連する制御情報（たとえば、制御チャネル、データチャネル、およびブロードキャストチャネルのためのレートマッチングに関係する情報など）などの情報を受信し得る。情報はデバイスの他の構成要素に受け渡されてよい。受信機５１０は、図８を参照しながら説明するトランシーバ８３５の態様の一例であり得る。受信機５１０は、単一のアンテナまたは一組のアンテナを利用し得る。
【０１０４】
[0114]  ＵＥブロードキャストチャネルマネージャ５１５および／またはそれの様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、ＵＥブロードキャストチャネルマネージャ５１５および／またはそれの様々な副構成要素のうちの少なくともいくつかの機能は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、または本開示で説明する機能を実行するように設計されたそれらの任意の組合せによって実行され得る。
【０１０５】
[0115]  ＵＥブロードキャストチャネルマネージャ５１５および／またはそれの様々な副構成要素のうちの少なくともいくつかは、機能の部分が、１つまたは複数の物理デバイスによって異なる物理的ロケーションにおいて実装されるように分散されることを含めて、様々な位置に物理的に配置され得る。いくつかの例では、ＵＥブロードキャストチャネルマネージャ５１５および／またはそれの様々な副構成要素のうちの少なくともいくつかは、本開示の様々な態様による、分離したおよび別個の構成要素であり得る。他の例では、ＵＥブロードキャストチャネルマネージャ５１５および／またはそれの様々な副構成要素のうちの少なくともいくつかは、限定はしないが、本開示の様々な態様による、Ｉ／Ｏ構成要素、トランシーバ、ネットワークサーバ、別のコンピューティングデバイス、本開示で説明する１つもしくは複数の他の構成要素、またはそれらの組合せを含む、１つまたは複数の他のハードウェア構成要素と組み合わせられ得る。
【０１０６】
[0116]  ＵＥブロードキャストチャネルマネージャ５１５は、ＲＲＣ接続状態から外れている間に、ブロードキャスト情報を搬送するＰＤＳＣＨを送信するために使用されるダウンリンクシンボルの長さの指示を基地局から受信することと、長さが、開始ダウンリンクシンボルインデックスから終了ダウンリンクシンボルインデックスまでである、指示に基づいて、ＰＤＳＣＨを復号することと、を行うこともできる。ＵＥブロードキャストチャネルマネージャ５１５は、ダウンリンクシンボルのセットにわたって、ＲＲＣ接続状態から外れている間に、ＰＤＳＣＨを基地局から受信することもできる。ＰＤＳＣＨは、ブロードキャスト情報を搬送し得る。ＵＥブロードキャストチャネルマネージャ５１５は、ダウンリンクシンボルのセットの第１のセットにわたってＰＤＳＣＨのブラインド復号を実行し、ダウンリンクシンボルのセットの第２のセットの間にＰＤＳＣＨのブラインド復号を実行し得る。いくつかの例では、第２のセットの長さは第１のセットとは異なる。
【０１０７】
[0117]  送信機５２０は、デバイスの他の構成要素によって生成された信号を送信し得る。いくつかの例では、送信機５２０は、トランシーバモジュールにおいて受信機５１０とコロケート（collocate）され得る。たとえば、送信機５２０は、図８を参照しながら説明するトランシーバ８３５の態様の一例であり得る。送信機５２０は、単一のアンテナまたはアンテナのセットを利用し得る。
【０１０８】
[0118]  図６は、本開示の態様による、ブロードキャストチャネルのためのレートマッチングをサポートするワイヤレスデバイス６０５のブロック図  ６００を示す。ワイヤレスデバイス６０５は、図５を参照しながら説明したワイヤレスデバイス５０５またはＵＥ１１５の態様の一例であり得る。ワイヤレスデバイス６０５は、受信機６１０と、ＵＥブロードキャストチャネルマネージャ６１５と、送信機６２０とを含み得る。ワイヤレスデバイス６０５は、プロセッサをも含み得る。これらの構成要素の各々は（たとえば、１つまたは複数のバスを介して）互いと通信し得る。
【０１０９】
[0119]  受信機６１０は、パケット、ユーザデータ、または様々な情報チャネルに関連する制御情報（たとえば、制御チャネル、データチャネル、およびブロードキャストチャネルのためのレートマッチングに関係する情報など）などの情報を受信し得る。情報はデバイスの他の構成要素に受け渡されてよい。受信機６１０は、図８を参照しながら説明するトランシーバ８３５の態様の一例であり得る。受信機６１０は、単一のアンテナまたはアンテナのセットを利用し得る。
【０１１０】
[0120]  ＵＥブロードキャストチャネルマネージャ６１５は、図５を参照しながら説明したＵＥブロードキャストチャネルマネージャ５１５の態様の一例であり得る。ＵＥブロードキャストチャネルマネージャ６１５は、ブロードキャストチャネル構成要素（broadcast channel component）６２５と復号構成要素６３０とをやはり含み得る。
【０１１１】
[0121]  ブロードキャストチャネル構成要素６２５は、ダウンリンクシンボルのセットにわたって、ＲＲＣ接続状態から外れている間に、ＰＤＳＣＨを基地局から受信し得る。いくつかの例では、ＰＤＳＣＨは、ブロードキャスト情報を搬送し得る。場合によっては、ブロードキャストチャネル構成要素６２５は、ＲＲＣ接続状態から外れている間に、ブロードキャスト情報を搬送するＰＤＳＣＨを送信するために使用されるダウンリンクシンボルの長さの指示を基地局から受信すること、長さが、開始ダウンリンクシンボルインデックスから終了ダウンリンクシンボルインデックスまでである、を行い得る。場合によっては、ブロードキャスト情報は、ＲＭＳＩもしくはＯＳＩ、またはその両方を含む。場合によっては、長さは、ダウンリンクシンボルの固定長であり得る。場合によっては、ＰＤＳＣＨを送信するために使用されるダウンリンクシンボルの長さの指示は、ＵＥと基地局との間のＲＲＣ構成手順の前に受信される。
【０１１２】
[0122]  復号構成要素６３０は、ダウンリンクシンボルのセットの第１のセットにわたってＰＤＳＣＨのブラインド復号を実行するか、もしくはダウンリンクシンボルのセットの第２のセットの間にＰＤＳＣＨのブラインド復号を実行するか、またはその両方を実行することができる。いくつかの例では、第２のセットの長さは、第１のセットとは異なり得る。復号構成要素６３０は、指示に基づいてＰＤＳＣＨを復号し得る。
【０１１３】
[0123]  送信機６２０は、デバイスの他の構成要素によって生成された信号を送信し得る。いくつかの例では、送信機６２０は、トランシーバモジュールにおいて受信機６１０とコロケートされ得る。たとえば、送信機６２０は、図８を参照しながら説明するトランシーバ８３５の態様の一例であり得る。送信機６２０は、単一のアンテナまたはアンテナのセットを利用し得る。
【０１１４】
[0124]  図７は、本開示の態様による、ブロードキャストチャネルのためのレートマッチングをサポートするＵＥブロードキャストチャネルマネージャ７１５のブロック図  ７００を示す。ＵＥブロードキャストチャネルマネージャ７１５は、図６、図８、および図９を参照しながら説明するＵＥブロードキャストチャネルマネージャ６１５、ＵＥブロードキャストチャネルマネージャ８１５、またはＵＥブロードキャストチャネルマネージャ７１５の態様の一例であり得る。ＵＥブロードキャストチャネルマネージャ７１５は、ブロードキャストチャネル構成要素７２０と、復号構成要素７２５と、選択構成要素７３０と、合成構成要素（combining component）７３５と、制御情報構成要素（control information component）７４０とを含み得る。これらのモジュールの各々は、直接的または間接的に、（たとえば、１つまたは複数のバスを介して）互いと通信し得る。
【０１１５】
[0125]  ブロードキャストチャネル構成要素７２０は、ダウンリンクのセットにわたって、ＲＲＣ接続状態から外れている間に、ＰＤＳＣＨを基地局から受信することができ、ＰＤＳＣＨは、ブロードキャスト情報を搬送し得る。ブロードキャストチャネル構成要素７２０は、ＲＲＣ接続状態から外れている間に、ブロードキャスト情報を搬送するＰＤＳＣＨを送信するために使用されるダウンリンクシンボルの長さの指示を基地局から受信すること、長さが、開始ダウンリンクシンボルインデックスから終了ダウンリンクシンボルインデックスまでである、を行い得る。場合によっては、ブロードキャスト情報は、ＲＭＳＩもしくはＯＳＩ、またはその両方を含む。場合によっては、長さは、ダウンリンクシンボルの固定長であり得る。場合によっては、ＰＤＳＣＨを送信するために使用されるダウンリンクシンボルの長さの指示は、ＵＥと基地局との間のＲＲＣ構成手順の前に受信され得る。
【０１１６】
[0126]  復号構成要素７２５は、ダウンリンクシンボルのセットの第１のセットにわたってＰＤＳＣＨのブラインド復号を実行するか、もしくはダウンリンクシンボルのセットの第２のセットの間にＰＤＳＣＨのブラインド復号を実行するか、またはその両方を実行することができる。いくつかの例では、第２のセットの長さは、第１のセットとは異なり得る。復号構成要素７２５は、指示に基づいてＰＤＳＣＨを復号し得る。
【０１１７】
[0127]  選択構成要素７３０は、事前構成された規則に基づいて、ダウンリンクシンボルのセットの第１のセットまたはダウンリンクシンボルのセットの第２のセットを選択し得る。選択構成要素７３０は、事前構成された規則に基づいて、ダウンリンクシンボルのセットの第１のセットを選択することができ、ここで、ＰＤＳＣＨのブラインド復号を実行することは、ダウンリンクシンボルのセットの選択された第１のセットに基づく。選択構成要素７３０は、事前構成された規則に基づいて、ダウンリンクシンボルのセットの第２のセットを選択することができ、ここで、ＰＤＳＣＨのブラインド復号を実行することは、ダウンリンクシンボルのセットの選択された第２のセットに基づく。場合によっては、事前構成された規則は、ダウンリンクシンボルのセットの最小ダウンリンクシンボル数または最大ダウンリンクシンボル数を含み得る。場合によっては、最小ダウンリンクシンボル数もしくは最大ダウンリンクシンボル数、またはその両方は、ＤＣＩ内に指示される。場合によっては、最小ダウンリンクシンボル数もしくは最大ダウンリンクシンボル数、またはその両方は、事前定義される。たとえば、ネットワークオペレータまたはネットワークアドミニストレータが、基地局またはＵＥの動作仕様において、最小ダウンリンクシンボル数もしくは最大ダウンリンクシンボル数、またはその両方を定義し得る。
【０１１８】
[0128]  合成構成要素７３５は、コーディングされたビットが最小ダウンリンクシンボル数内であることに基づいて、ＰＤＳＣＨのコーディングされたビットのＬＬＲのソフト合成を実行し得る。制御情報構成要素７４０は、ＤＣＩを基地局から受信すること、ここで、ＰＤＳＣＨを送信するために基地局によって使用されるダウンリンクシンボルの長さの指示が、ＤＣＩ内で受信される、を行い得る。制御情報構成要素７４０は、ＤＣＩ内で受信されたＤＣＩフィールド内のビット値に基づいて、ＰＤＳＣＨを送信するために使用されるダウンリンクシンボルの長さを識別し得る。制御情報構成要素７４０は、ＰＢＣＨ上で制御情報をＭＩＢ内で基地局から受信し、ＭＩＢ内の制御情報に基づいて、ＰＤＳＣＨの開始ダウンリンクシンボルインデックスを決定し、ＰＤＣＣＨ上で制御情報をＤＣＩ内で基地局から受信することに基づいて、ＰＤＳＣＨの終了ダウンリンクシンボルインデックスを決定することができ、ここでＰＤＳＣＨを復号することは、開始ダウンリンクシンボルインデックスおよび終了ダウンリンクシンボルインデックスに基づく。
【０１１９】
[0129]  図８は、本開示の態様による、ブロードキャストチャネルのためのレートマッチングをサポートするデバイス８０５を含むシステム８００の図を示す。デバイス８０５は、たとえば、図５および図６を参照しながら上記で説明したワイヤレスデバイス５０５、ワイヤレスデバイス６０５、またはＵＥ１１５の一例であるか、またはそれの構成要素を含み得る。デバイス８０５は、ＵＥブロードキャストチャネルマネージャ８１５と、プロセッサ８２０と、メモリ８２５と、ソフトウェア８３０と、トランシーバ８３５と、アンテナ８４０と、Ｉ／Ｏコントローラ８４５とを含む、通信を送信および受信するための構成要素を含む双方向音声およびデータ通信のための構成要素を含み得る。これらの構成要素は、１つまたは複数のバス（たとえば、バス８１０）を介して電子通信し得る。デバイス８０５は、１つまたは複数の基地局１０５とワイヤレス通信し得る。
【０１２０】
[0130]  プロセッサ８２０は、インテリジェントハードウェアデバイス（たとえば、汎用プロセッサ、ＤＳＰ、中央処理ユニット（ＣＰＵ）、マイクロコントローラ、ＡＳＩＣ、ＦＰＧＡ、プログラマブル論理デバイス、個別ゲートもしくはトランジスタ論理構成要素、個別ハードウェア構成要素、またはそれらの任意の組合せ）を含み得る。場合によっては、プロセッサ８２０は、メモリコントローラを使用してメモリアレイを動作させるように構成され得る。他の場合には、メモリコントローラはプロセッサ８２０内に組み込まれ得る。プロセッサ８２０は、様々な機能（たとえば、ブロードキャストチャネルのためのレートマッチングをサポートする、機能またはタスク）を実行するために、メモリ内に記憶されたコンピュータ可読命令を実行するように構成され得る。
【０１２１】
[0131]  メモリ８２５は、ランダムアクセスメモリ（ＲＡＭ）と読取り専用メモリ（ＲＯＭ）とを含み得る。メモリ８２５は、実行されたとき、プロセッサに本明細書で説明する様々な機能を実行させる命令を含むコンピュータ可読、コンピュータ実行可能ソフトウェア８３０を記憶し得る。場合によっては、メモリ８２５は、特に、周辺構成要素またはデバイスとの対話などの基本的なハードウェアまたはソフトウェア動作を制御し得る基本入出力システム（ＢＩＯＳ）を含み得る。
【０１２２】
[0132]  ソフトウェア８３０は、ブロードキャストチャネルのためのレートマッチングをサポートするためのコード（code）を含む、本開示の態様を実装するためのコードを含み得る。ソフトウェア８３０は、システムメモリまたは他のメモリなどの非一時的コンピュータ可読媒体内に記憶され得る。場合によっては、ソフトウェア８３０は、プロセッサによって直接的には実行可能でないことがあるが、（たとえば、コンパイルされ実行されたとき）コンピュータに本明細書で説明する機能を実行させ得る。
【０１２３】
[0133]  トランシーバ８３５は、上記で説明したように、１つまたは複数のアンテナ、ワイヤードリンク、またはワイヤレスリンクを介して双方向に通信し得る。たとえば、トランシーバ８３５は、ワイヤレストランシーバを表し得、別のワイヤレストランシーバと双方向に通信し得る。トランシーバ８３５はまた、パケットを変調し、変調されたパケットを送信のためにアンテナに与えるための、およびアンテナから受信されたパケットを復調するためのモデムを含み得る。場合によっては、ワイヤレスデバイスは単一のアンテナ８４０を含み得る。ただし、場合によっては、デバイスは、複数のワイヤレス送信を同時に送信または受信することが可能であり得る２つ以上のアンテナ８４０を有し得る。
【０１２４】
[0134]  Ｉ／Ｏコントローラ８４５は、デバイス８０５のための入力信号と出力信号とを管理し得る。Ｉ／Ｏコントローラ８４５はまた、デバイス８０５内に組み込まれない周辺機器を管理し得る。場合によっては、Ｉ／Ｏコントローラ８４５は、外部周辺機器への物理接続またはポートを表し得る。場合によっては、Ｉ／Ｏコントローラ８４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の知られているオペレーティングシステムなどのオペレーティングシステムを利用し得る。他の場合には、Ｉ／Ｏコントローラ８４５は、モデム、キーボード、マウス、タッチスクリーン、または同様のデバイスを表すか、またはそれらと対話し得る。場合によっては、Ｉ／Ｏコントローラ８４５は、プロセッサの一部として実装され得る。場合によっては、ユーザは、Ｉ／Ｏコントローラ８４５を介して、またはＩ／Ｏコントローラ８４５によって制御されるハードウェア構成要素を介してデバイス８０５と対話し得る。
【０１２５】
[0135]  図９は、本開示の態様による、ブロードキャストチャネルのためのレートマッチングをサポートするワイヤレスデバイス９０５のブロック図  ９００を示す。ワイヤレスデバイス９０５は、本明細書で説明する基地局１０５の態様の一例であり得る。ワイヤレスデバイス９０５は、受信機９１０と、基地局ブロードキャストチャネルマネージャ（base station broadcast channel manager）９１５と、送信機９２０とを含み得る。ワイヤレスデバイス９０５は、プロセッサをも含み得る。これらの構成要素の各々は（たとえば、１つまたは複数のバスを介して）互いと通信し得る。
【０１２６】
[0136]  受信機９１０は、パケット、ユーザデータ、または様々な情報チャネルに関連する制御情報（たとえば、制御チャネル、データチャネル、およびブロードキャストチャネルのためのレートマッチングに関係する情報など）などの情報を受信し得る。情報はデバイスの他の構成要素に受け渡されてよい。受信機９１０は、図１２を参照しながら説明するトランシーバ１２３５の態様の一例であり得る。受信機９１０は、単一のアンテナまたはアンテナのセットを利用し得る。
【０１２７】
[0137]  基地局ブロードキャストチャネルマネージャ９１５は、図１２を参照しながら説明する基地局ブロードキャストチャネルマネージャ１２１５の態様の一例であり得る。
【０１２８】
[0138]  基地局ブロードキャストチャネルマネージャ９１５および／またはそれの様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局ブロードキャストチャネルマネージャ９１５および／またはそれの様々な副構成要素のうちの少なくともいくつかの機能は、汎用プロセッサ、ＤＳＰ、ＡＳＩＣ、ＦＰＧＡもしくは他のプログラマブル論理デバイス、個別ゲートもしくはトランジスタ論理、個別ハードウェア構成要素、または本開示で説明する機能を実行するように設計されたそれらの任意の組合せによって実行され得る。
【０１２９】
[0139]  基地局ブロードキャストチャネルマネージャ９１５および／またはそれの様々な副構成要素のうちの少なくともいくつかは、機能の部分が、１つまたは複数の物理デバイスによって異なる物理的ロケーションにおいて実装されるように分散されることを含めて、様々な位置に物理的に配置され得る。いくつかの例では、基地局ブロードキャストチャネルマネージャ９１５および／またはそれの様々な副構成要素のうちの少なくともいくつかは、本開示の様々な態様による、分離したおよび別個の構成要素であり得る。他の例では、基地局ブロードキャストチャネルマネージャ９１５および／またはそれの様々な副構成要素のうちの少なくともいくつかは、限定はしないが、本開示の様々な態様による、Ｉ／Ｏ構成要素、トランシーバ、ネットワークサーバ、別のコンピューティングデバイス、本開示で説明する１つもしくは複数の他の構成要素、またはそれらの組合せを含む、１つまたは複数の他のハードウェア構成要素と組み合わせられ得る。
【０１３０】
[0140]  基地局ブロードキャストチャネルマネージャ９１５は、ＵＥがＲＲＣ接続状態から外れている間に、ブロードキャスト情報を搬送するＰＤＳＣＨをＵＥに送信するために使用されるダウンリンクシンボルの長さを識別することと、長さが、開始ダウンリンクシンボルインデックスから終了ダウンリンクシンボルインデックスまでである、指示をＵＥに送信することと、を行い得る。
【０１３１】
[0141]  送信機９２０は、デバイスの他の構成要素によって生成された信号を送信し得る。いくつかの例では、送信機９２０は、トランシーバモジュールにおいて受信機９１０とコロケートされ得る。たとえば、送信機９２０は、図１２を参照しながら説明するトランシーバ１２３５の態様の一例であり得る。送信機９２０は、単一のアンテナまたはアンテナのセットを利用し得る。
【０１３２】
[0142]  図１０は、本開示の態様による、ブロードキャストチャネルのためのレートマッチングをサポートするワイヤレスデバイス１００５のブロック図  １０００を示す。ワイヤレスデバイス１００５は、図９を参照しながら説明したワイヤレスデバイス９０５または基地局１０５の態様の一例であり得る。ワイヤレスデバイス１００５は、受信機１０１０と、基地局ブロードキャストチャネルマネージャ１０１５と、送信機１０２０とを含み得る。ワイヤレスデバイス１００５は、プロセッサをも含み得る。これらの構成要素の各々は（たとえば、１つまたは複数のバスを介して）互いと通信し得る。
【０１３３】
[0143]  受信機１０１０は、パケット、ユーザデータ、または様々な情報チャネルに関連する制御情報（たとえば、制御チャネル、データチャネル、およびブロードキャストチャネルのためのレートマッチングに関係する情報など）などの情報を受信し得る。情報はデバイスの他の構成要素に受け渡されてよい。受信機１０１０は、図１２を参照しながら説明するトランシーバ１２３５の態様の一例であり得る。受信機１０１０は、単一のアンテナまたはアンテナのセットを利用し得る。
【０１３４】
[0144]  基地局ブロードキャストチャネルマネージャ１０１５は、図１１を参照しながら説明する基地局ブロードキャストチャネルマネージャ１１１５の態様の一例であり得る。基地局ブロードキャストチャネルマネージャ１０１５は、ブロードキャストチャネル構成要素１０２５とインジケータ構成要素（indicator component）１０３０とをやはり含み得る。
【０１３５】
[0145]  ブロードキャストチャネル構成要素１０２５は、ＵＥがＲＲＣ接続状態から外れている間に、ブロードキャスト情報を搬送するＰＤＳＣＨをＵＥに送信するために使用されるダウンリンクシンボルの長さを識別することと、長さが、開始ダウンリンクシンボルインデックスから終了ダウンリンクシンボルインデックスまでである、事前構成された規則に基づいて、ブロードキャスト情報を搬送するＰＤＳＣＨを送信するために使用されるダウンリンクシンボルの長さを決定することと、を行い得る。場合によっては、ブロードキャスト情報は、ＲＭＳＩもしくはＯＳＩ、またはその両方を含む。
【０１３６】
[0146]  インジケータ構成要素１０３０は、指示をＵＥに送信し得る。インジケータ構成要素１０３０は、ＰＢＣＨ上で制御情報をＭＩＢ内で送信することに基づいて、開始ダウンリンクシンボルインデックスの指示をＵＥに提供し、ＰＤＣＣＨ上でダウンリンクシンボルの長さの指示をＤＣＩ内で送信し得る。
【０１３７】
[0147]  送信機１０２０は、デバイスの他の構成要素によって生成された信号を送信し得る。いくつかの例では、送信機１０２０は、トランシーバモジュールにおいて受信機１０１０とコロケートされ得る。たとえば、送信機１０２０は、図１２を参照しながら説明するトランシーバ１２３５の態様の一例であり得る。送信機１０２０は、単一のアンテナまたはアンテナのセットを利用し得る。
【０１３８】
[0148]  図１１は、本開示の態様による、ブロードキャストチャネルのためのレートマッチングをサポートする基地局ブロードキャストチャネルマネージャ１１１５のブロック図  １１００を示す。基地局ブロードキャストチャネルマネージャ１１１５は、図９、図１０、および図１２を参照しながら説明する基地局ブロードキャストチャネルマネージャの態様の一例であり得る。基地局ブロードキャストチャネルマネージャ１１１５は、ブロードキャストチャネル構成要素１１２０と、インジケータ構成要素１１２５と、シンボル構成要素（symbol component）１１３０と、スケジューリング構成要素（scheduling component）１１３５と、切捨て構成要素（truncating component）１１４０と、パンクチャリング構成要素（puncturing component）１１４５と、制御情報構成要素（control information component）１１５０とを含み得る。これらのモジュールの各々は、直接的または間接的に、（たとえば、１つまたは複数のバスを介して）互いと通信し得る。
【０１３９】
[0149]  ブロードキャストチャネル構成要素１１２０は、ＵＥがＲＲＣ接続状態から外れている間に、ブロードキャスト情報を搬送するＰＤＳＣＨをＵＥに送信するために使用されるダウンリンクシンボルの長さを識別することと、長さが、開始ダウンリンクシンボルインデックスから終了ダウンリンクシンボルインデックスまでである、事前構成された規則に基づいて、ブロードキャスト情報を搬送するＰＤＳＣＨを送信するために使用されるダウンリンクシンボルの長さを決定することと、を行い得る。場合によっては、ブロードキャスト情報は、ＲＭＳＩもしくはＯＳＩ、またはその両方を含む。
【０１４０】
[0150]  インジケータ構成要素１１２５は、指示をＵＥに送信し得る。インジケータ構成要素１１２５は、ＰＢＣＨ上で制御情報をＭＩＢ内で送信することに基づいて、開始ダウンリンクシンボルインデックスの指示をＵＥに提供し、ＰＤＣＣＨ上でダウンリンクシンボルの長さの指示をＤＣＩ内で送信し得る。
【０１４１】
[0151]  シンボル構成要素１１３０は、事前構成された規則に基づいて、ブロードキャスト情報を搬送するＰＤＳＣＨの送信のためのダウンリンクシンボルのセットを割り当てることができる。シンボル構成要素１１３０は、フレームのスロットに関連するダウンリンクシンボルのセットを識別することと、ダウンリンクシンボルの識別されたセットがダウンリンクシンボルの割り当てられたセットを満たすと決定することと、ここで、ＰＤＳＣＨをスケジューリングすることは、スロットに関連するダウンリンクシンボルの識別されたセットがＰＤＳＣＨを送信するために使用されるダウンリンクシンボルのセットの割り当てられたセットを満たすことに基づく、を行い得る。シンボル構成要素１１３０は、ダウンリンクシンボルの識別されたセットがダウンリンクシンボルの割り当てられたセットを下回ると決定し、スロットの間にＰＤＳＣＨをスケジュールすることを控えることができる。シンボル構成要素１１３０は、ダウンリンクシンボルの識別されたセットがダウンリンクシンボルの割り当てられたセットを上回ると決定し得る。シンボル構成要素１１３０は、ブロードキャスト情報を搬送するＰＤＳＣＨの送信のためのダウンリンクシンボルの最小セットを決定し、ブロードキャスト情報を搬送するＰＤＳＣＨの送信のためのダウンリンクシンボルの最大セットを決定し得る。場合によっては、ダウンリンクシンボルの割り当てられたセットは、ＲＭＳＩまたはＯＳＩを搬送するＰＤＳＣＨに基づいて可変である。
【０１４２】
[0152]  スケジューリング構成要素１１３５は、ダウンリンクシンボルの割り当てられたセットに基づいて、ＰＤＳＣＨをスケジュールし得る。切捨て構成要素１１４０は、スロットに関連する未使用のダウンリンクシンボルのセットを切り捨てることができ、ここで、ＰＤＳＣＨをスケジュールすることは、切り捨てることに基づく。パンクチャリング構成要素１１４５は、スロットに関連する未使用のダウンリンクシンボルのセットをパンクチャリングし得る。制御情報構成要素１１５０は、ＤＣＩのＤＣＩフィールドに関連するビット値を割り当てること、ビット値が、ダウンリンクシンボルの長さを指示する、を行い得る。
【０１４３】
[0153]  図１２は、本開示の態様による、ブロードキャストチャネルのためのレートマッチングをサポートするデバイス（device）１２０５を含むシステム１２００の図を示す。デバイス１２０５は、たとえば、図１を参照しながら上記で説明した基地局１０５の一例であるか、またはそれの構成要素を含み得る。デバイス１２０５は、基地局ブロードキャストチャネルマネージャ１２１５と、プロセッサ１２２０と、メモリ１２２５と、ソフトウェア１２３０と、トランシーバ１２３５と、アンテナ１２４０と、ネットワーク通信マネージャ（network communications manager）１２４５と、局間通信マネージャ（inter-station communications manager）１２５０とを含む、通信を送信および受信するための構成要素を含む双方向音声およびデータ通信のための構成要素を含み得る。これらの構成要素は、１つまたは複数のバス（たとえば、バス１２１０）を介して電子通信し得る。デバイス１２０５は、１つまたは複数のＵＥ１１５とワイヤレス通信し得る。
【０１４４】
[0154]  プロセッサ１２２０は、インテリジェントハードウェアデバイス（たとえば、汎用プロセッサ、ＤＳＰ、ＣＰＵ、マイクロコントローラ、ＡＳＩＣ、ＦＰＧＡ、プログラマブル論理デバイス、個別ゲートもしくはトランジスタ論理構成要素、個別ハードウェア構成要素、またはそれらの任意の組合せ）を含み得る。場合によっては、プロセッサ１２２０は、メモリコントローラを使用してメモリアレイを動作させるように構成され得る。他の場合には、メモリコントローラはプロセッサ１２２０内に組み込まれ得る。プロセッサ１２２０は、様々な機能（たとえば、ブロードキャストチャネルのためのレートマッチングをサポートする、機能またはタスク）を実行するために、メモリ内に記憶されたコンピュータ可読命令を実行するように構成され得る。
【０１４５】
[0155]  メモリ１２２５はＲＡＭとＲＯＭとを含み得る。メモリ１２２５は、実行されたとき、プロセッサに本明細書で説明する様々な機能を実行させる命令を含むコンピュータ可読、コンピュータ実行可能ソフトウェア１２３０を記憶し得る。場合によっては、メモリ１２２５は、特に、周辺構成要素またはデバイスとの対話などの基本的なハードウェアまたはソフトウェア動作を制御し得るＢＩＯＳを含み得る。
【０１４６】
[0156]  ソフトウェア１２３０は、ブロードキャストチャネルのためのレートマッチングをサポートするためのコードを含む、本開示の態様を実装するためのコードを含み得る。ソフトウェア１２３０は、システムメモリまたは他のメモリなどの非一時的コンピュータ可読媒体内に記憶され得る。場合によっては、ソフトウェア１２３０は、プロセッサによって直接的には実行可能でないことがあるが、（たとえば、コンパイルされ実行されたとき）本明細書で説明する機能をコンピュータに実行させ得る。
【０１４７】
[0157]  トランシーバ１２３５は、上記で説明したように、１つまたは複数のアンテナ、ワイヤードリンク、またはワイヤレスリンクを介して、双方向に通信し得る。たとえば、トランシーバ１２３５は、ワイヤレストランシーバを表すことがあり、別のワイヤレストランシーバと双方向に通信し得る。トランシーバ１２３５はまた、パケットを変調し、変調されたパケットを送信のためにアンテナに与えるための、およびアンテナから受信されたパケットを復調するためのモデムを含み得る。場合によっては、ワイヤレスデバイスは単一のアンテナ１２４０を含み得る。しかしながら、場合によっては、デバイスは、複数のワイヤレス送信を同時に送信または受信することが可能であり得る２つ以上のアンテナ１２４０を有し得る。
【０１４８】
[0158]  ネットワーク通信マネージャ１２４５は、（たとえば、１つまたは複数のワイヤードバックホールリンク（wired backhaul link）を介して）コアネットワークとの通信を管理し得る。たとえば、ネットワーク通信マネージャ１２４５は、１つまたは複数のＵＥ１１５など、クライアントデバイスのためのデータ通信の転送を管理し得る。
【０１４９】
[0159]  局間通信マネージャ１２５０は、他の基地局１０５との通信を管理し得、他の基地局１０５と協働してＵＥ１１５との通信を制御するためのコントローラまたはスケジューラを含み得る。たとえば、局間通信マネージャ１２５０は、ビームフォーミングまたはジョイント送信などの様々な干渉緩和技法のためのＵＥ１１５への送信のためのスケジューリングを協調させ得る。いくつかの例では、局間通信マネージャ１２５０は、基地局１０５間の通信を行うために、ＬＴＥ／ＬＴＥ−Ａワイヤレス通信ネットワーク技術内のＸ２インターフェースを与え得る。
【０１５０】
[0160]  図１３は、本開示の態様による、ブロードキャストチャネルのためのレートマッチングのための方法１３００を示すフローチャートを示す。方法１３００の動作は、本明細書で説明したように、ＵＥ１１５またはそれの構成要素によって実装され得る。たとえば、方法１３００の動作は、図５〜図８を参照しながら説明したＵＥブロードキャストチャネルマネージャによって実行され得る。いくつかの例では、ＵＥ１１５は、以下で説明する機能を実行するようにデバイスの機能要素を制御するためのコードのセットを実行し得る。追加または代替として、ＵＥ１１５は、専用ハードウェアを使用して、以下で説明する機能の態様を実行し得る。
【０１５１】
[0161]  １３０５において、ＵＥ１１５は、複数のダウンリンクシンボル上で、ＲＲＣ接続状態から外れている間に、ＰＤＳＣＨを基地局から受信することができ、ＰＤＳＣＨは、ブロードキャスト情報を搬送する。１３０５の動作は、本明細書で説明する方法に従って実行され得る。いくつかの例では、１３０５の動作の態様は、図５〜図８を参照しながら説明したブロードキャストチャネル構成要素によって実行され得る。
【０１５２】
[0162]  １３１０において、ＵＥ１１５は、複数のダウンリンクシンボルの第１のセットにわたってＰＤＳＣＨの第１のブラインド復号（first blind decoding）を実行し得る。１３１０の動作は、本明細書で説明する方法に従って実行され得る。いくつかの例では、１３１０の動作の態様は、図５〜図８を参照しながら説明した復号構成要素によって実行され得る。
【０１５３】
[0163]  １３１５において、ＵＥ１１５は、複数のダウンリンクシンボルの第２のセットの間にＰＤＳＣＨの第２のブラインド復号を実行し得、第２のセットの長さは、第１のセットとは異なる。１３１５の動作は、本明細書で説明する方法に従って実行され得る。いくつかの例では、１３１５の動作の態様は、図５〜図８を参照しながら説明した復号構成要素によって実行され得る。
【０１５４】
[0164]  図１４は、本開示の態様による、ブロードキャストチャネルのためのレートマッチングのための方法１４００を示すフローチャートを示す。方法１４００の動作は、本明細書で説明したように、ＵＥ１１５またはそれの構成要素によって実装され得る。たとえば、方法１４００の動作は、図５〜図８を参照しながら説明したＵＥブロードキャストチャネルマネージャによって実行され得る。いくつかの例では、ＵＥ１１５は、以下で説明する機能を実行するようにデバイスの機能要素を制御するためのコードのセットを実行し得る。追加または代替として、ＵＥ１１５は、専用ハードウェアを使用して、以下で説明する機能の態様を実行し得る。
【０１５５】
[0165]  １４０５において、ＵＥ１１５は、ＲＲＣ接続状態から外れている間に、ブロードキャスト情報を搬送するＰＤＳＣＨを送信するために使用されるダウンリンクシンボルの長さの指示を基地局から受信し得る。１４０５の動作は、本明細書で説明する方法に従って実行され得る。いくつかの例では、１４０５の動作の態様は、図５〜図８を参照しながら説明したブロードキャストチャネル構成要素によって実行され得る。
【０１５６】
[0166]  １４１０において、ＵＥ１１５は、指示に少なくとも部分的に基づいてＰＤＳＣＨを復号し得る。１４１０の動作は、本明細書で説明する方法に従って実行され得る。いくつかの例では、１４１０の動作の態様は、図５〜図８を参照しながら説明した復号構成要素によって実行され得る。
【０１５７】
[0167]  図１５は、本開示の態様による、ブロードキャストチャネルのためのレートマッチングのための方法１５００を示すフローチャートを示す。方法１５００の動作は、本明細書で説明したように、ＵＥ１１５またはそれの構成要素によって実装され得る。たとえば、方法１５００の動作は、図５〜図８を参照しながら説明したＵＥブロードキャストチャネルマネージャによって実行され得る。いくつかの例では、ＵＥ１１５は、以下で説明する機能を実行するようにデバイスの機能要素を制御するためのコードのセットを実行し得る。追加または代替として、ＵＥ１１５は、専用ハードウェアを使用して、以下で説明する機能の態様を実行し得る。
【０１５８】
[0168]  １５０５において、ＵＥ１１５は、ＲＲＣ接続状態から外れている間に、ブロードキャスト情報を搬送するＰＤＳＣＨを送信するために使用されるダウンリンクシンボルの長さの指示を基地局から受信し得る。１５０５の動作は、本明細書で説明する方法に従って実行され得る。いくつかの例では、１５０５の動作の態様は、図５〜図８を参照しながら説明したブロードキャストチャネル構成要素によって実行され得る。
【０１５９】
[0169]  １５１０において、ＵＥ１１５は、指示に少なくとも部分的に基づいてＰＤＳＣＨを復号し得る。１５１０の動作は、本明細書で説明する方法に従って実行され得る。いくつかの例では、１５１０の動作の態様は、図５〜図８を参照しながら説明した復号構成要素によって実行され得る。
【０１６０】
[0170]  １５１５において、ＵＥ１１５は、ＤＣＩを基地局から受信すること、ここにおいて、ＰＤＳＣＨを送信するために基地局によって使用されるダウンリンクシンボルの長さの指示が、ＤＣＩ内で受信される、を行い得る。１５１５の動作は、本明細書で説明する方法に従って実行され得る。いくつかの例では、１５１５の動作の態様は、図５〜図８を参照しながら説明した制御情報構成要素によって実行され得る。
【０１６１】
[0171]  １５２０において、ＵＥ１１５は、ＤＣＩ内で受信されたＤＣＩフィールド内のビット値に少なくとも部分的に基づいて、ＰＤＳＣＨを送信するために使用されるダウンリンクシンボルの長さを識別し得る。１５２０の動作は、本明細書で説明する方法に従って実行され得る。いくつかの例では、１５２０の動作の態様は、図５〜図８を参照しながら説明した制御情報構成要素によって実行され得る。
【０１６２】
[0172]  図１６は、本開示の態様による、ブロードキャストチャネルのためのレートマッチングのための方法１６００を示すフローチャートを示す。方法１６００の動作は、本明細書で説明したように、基地局１０５またはそれの構成要素によって実装され得る。たとえば、方法１６００の動作は、図９〜図１２を参照しながら説明した基地局ブロードキャストチャネルマネージャによって実行され得る。いくつかの例では、基地局１０５は、以下で説明する機能を実行するようにデバイスの機能要素を制御するためのコードのセットを実行し得る。追加または代替として、基地局１０５は、専用ハードウェアを使用して、以下で説明する機能の態様を実行し得る。
【０１６３】
[0173]  １６０５において、基地局１０５は、ＵＥがＲＲＣ接続状態から外れている間に、ブロードキャスト情報を搬送するＰＤＳＣＨをＵＥに送信するために使用されるダウンリンクシンボルの長さを識別し得る。１６０５の動作は、本明細書で説明する方法に従って実行され得る。いくつかの例では、１６０５の動作の態様は、図９〜図１２を参照しながら説明したブロードキャストチャネル構成要素によって実行され得る。
【０１６４】
[0174]  １６１０において、基地局１０５は、ＵＥに指示を送信し得る。１６１０の動作は、本明細書で説明する方法に従って実行され得る。いくつかの例では、１６１０の動作の態様は、図９〜図１２を参照しながら説明したインジケータ構成要素によって実行され得る。
【０１６５】
[0175]  図１７は、本開示の態様による、ブロードキャストチャネルのためのレートマッチングのための方法１７００を示すフローチャートを示す。方法１７００の動作は、本明細書で説明したように、基地局１０５またはそれの構成要素によって実装され得る。たとえば、方法１７００の動作は、図９〜図１２を参照しながら説明した基地局ブロードキャストチャネルマネージャによって実行され得る。いくつかの例では、基地局１０５は、以下で説明する機能を実行するようにデバイスの機能要素を制御するためのコードのセットを実行し得る。追加または代替として、基地局１０５は、専用ハードウェアを使用して、以下で説明する機能の態様を実行し得る。
【０１６６】
[0176]  １７０５において、基地局１０５は、ＵＥがＲＲＣ接続状態から外れている間に、ブロードキャスト情報を搬送するＰＤＳＣＨをＵＥに送信するために使用されるダウンリンクシンボルの長さを識別し得る。１７０５の動作は、本明細書で説明する方法に従って実行され得る。いくつかの例では、１７０５の動作の態様は、図９〜図１２を参照しながら説明したブロードキャストチャネル構成要素によって実行され得る。
【０１６７】
[0177]  １７１０において、基地局１０５は、ＵＥに指示を送信し得る。１７１０の動作は、本明細書で説明する方法に従って実行され得る。いくつかの例では、１７１０の動作の態様は、図９〜図１２を参照しながら説明したインジケータ構成要素によって実行され得る。
【０１６８】
[0178]  １７１５において、基地局１０５は、事前構成された規則に少なくとも部分的に基づいて、ブロードキャスト情報を搬送するＰＤＳＣＨの送信のためのダウンリンクシンボルのセットを割り当てることができる。１７１５の動作は、本明細書で説明する方法に従って実行され得る。いくつかの例では、１７１５の動作の態様は、図９〜図１２を参照しながら説明したシンボル構成要素によって実行され得る。
【０１６９】
[0179]  １７２０において、基地局１０５は、ダウンリンクシンボルの割り当てられたセットに少なくとも部分的に基づいて、ＰＤＳＣＨをスケジュールし得る。１７２０の動作は、本明細書で説明する方法に従って実行され得る。いくつかの例では、１７２０の動作の態様は、図９〜図１２を参照しながら説明したスケジューリング構成要素によって実行され得る。
【０１７０】
[0180]  いくつかの例では、説明した方法のうちの２つ以上からの態様が組み合わせられ得る。説明した方法は、例示的な実装形態にすぎないこと、および説明した方法の動作は、他の実装形態が可能であるように、並べ替えられ得るかまたは別のやり方で変更され得ることに留意されたい。
【０１７１】
[0181]  本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなどの様々なワイヤレス通信システムに使用される場合がある。ＣＤＭＡシステムは、ＣＤＭＡ２０００、ユニバーサル地上波無線アクセス（ＵＴＲＡ）などのような無線技術を実装し得る。ＣＤＭＡ２０００は、ＩＳ−２０００規格と、ＩＳ−９５規格と、ＩＳ−８５６規格とをカバーする。ＩＳ−２０００リリースは、一般に、ＣＤＭＡ２０００  １Ｘ、１Ｘなどと呼ばれることがある。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））と、ＣＤＭＡの他の変形態とを含む。ＴＤＭＡシステムは、モバイル通信用グローバルシステム（ＧＳＭ（登録商標））などの無線技術を実装することができる。
【０１７２】
[0182]  ＯＦＤＭＡシステムは、ウルトラモバイルブロードバンド（ＵＭＢ）、発展型ＵＴＲＡ（Ｅ−ＵＴＲＡ）、米国電気電子技術者協会（ＩＥＥＥ）８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＮＲ、およびＧＳＭは、「第３世代パートナーシッププロジェクト」（３ＧＰＰ（登録商標））という名称の組織からの文書に記載されている。ＣＤＭＡ２０００およびＵＭＢは、「第３世代パートナーシッププロジェクト２」（３ＧＰＰ２）と称する団体からの文書に記載されている。本明細書で説明した技法は、上述されたシステムおよび無線技術、ならびに他のシステムおよび無線技術に使用されてよい。ＬＴＥシステムまたはＮＲシステムの態様が例として説明され得、ＬＴＥまたはＮＲの用語が説明の大部分において使用され得るが、本明細書で説明した技法は、ＬＴＥまたはＮＲの用途以外に適用可能である。
【０１７３】
[0183]  マクロセルは、概して、比較的大きい地理的エリア（たとえば、半径数キロメートル）をカバーし、ネットワークプロバイダのサービスに加入しているＵＥ１１５による無制限アクセスを可能にすることができる。スモールセルは、マクロセルと比較して、低電力基地局１０５に関連付けられ得、スモールセルは、マクロセルと同じかまたは異なる（たとえば、認可、無認可などの）周波数帯域内で動作し得る。スモールセルは、様々な例によれば、ピコセル、フェムトセル、およびマイクロセルを含んでよい。ピコセルは、たとえば、小さい地理的エリアをカバーすることができ、ネットワークプロバイダのサービスに加入しているＵＥ１１５による無制限アクセスを可能にすることができる。フェムトセルも、小さい地理的エリア（たとえば、自宅）をカバーすることができ、フェムトセルとの関連を有するＵＥ１１５（たとえば、限定加入者グループ（ＣＳＧ）内のＵＥ１１５、自宅内のユーザのためのＵＥ１１５など）による制限付きアクセスを実現することができる。マクロセルのためのｅＮＢは、マクロｅＮＢと呼ばれる場合がある。スモールセルのためのｅＮＢは、スモールセルｅＮＢ、ピコｅＮＢ、フェムトｅＮＢ、またはホームｅＮＢと呼ばれる場合がある。ｅＮＢは、１つまたは複数の（たとえば、２つ、３つ、４つなどの）セルをサポートし得、１つまたは複数のコンポーネントキャリアを使用する通信をやはりサポートし得る。
【０１７４】
[0184]  本明細書で説明したシステム１００は、同期動作または非同期動作をサポートし得る。同期動作の場合、基地局１０５は同様のフレームタイミングを有し得、異なる基地局１０５からの送信は時間的にほぼ整合され得る。非同期動作の場合、基地局１０５は異なるフレームタイミングを有し得、異なる基地局１０５からの送信は時間的に整合されないことがある。本明細書で説明した技法は、同期動作または非同期動作のいずれかのために使用され得る。
【０１７５】
[0185]  本明細書で説明した情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１７６】
[0186]  本明細書の開示に関して説明した様々な例示的なブロックおよびモジュールは、汎用プロセッサ、ＤＳＰ、ＡＳＩＣ、ＦＰＧＡもしくは他のプログラマブル論理デバイス（ＰＬＤ）、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであってよいが、代替として、プロセッサは、任意の従来のプロセッサ、コントローラ、マイクロコントローラ、または状態機械であってよい。プロセッサはまた、コンピューティングデバイスの組合せ（たとえば、ＤＳＰとマイクロプロセッサの組合せ、複数のマイクロプロセッサ、ＤＳＰコアと連携する１つまたは複数のマイクロプロセッサ、または任意の他のそのような構成）として実装されてよい。
【０１７７】
[0187]  本明細書で説明した機能は、ハードウェア、プロセッサによって実行されるソフトウェア、ファームウェア、またはそれらの任意の組合せに実装されてよい。プロセッサによって実行されるソフトウェアに実装される場合、機能は、１つまたは複数の命令またはコードとして、コンピュータ可読媒体上に記憶されるか、またはコンピュータ可読媒体を介して送信されてよい。他の例および実装形態が、本開示および添付の特許請求の範囲および趣旨内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴は、機能の部分が、異なる物理的ロケーションにおいて実装されるように分配されることを含めて、様々な位置に物理的に配置され得る。特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」または「のうちの１つまたは複数」などの句で終わる項目の列挙）中で使用される「または」は、たとえば、項目の列挙「のうちの少なくとも１つ」を指す句が、単一のメンバーを含む、それらの項目の任意の組合せを指すような包括的列挙を示す。一例として、「Ａ、Ｂ、またはＣのうちの少なくとも１つ」は、Ａ、Ｂ、Ｃ、Ａ−Ｂ、Ａ−Ｃ、Ｂ−Ｃ、およびＡ−Ｂ−Ｃ、ならびに複数の同じ要素を用いた任意の組合せ（たとえば、Ａ−Ａ、Ａ−Ａ−Ａ、Ａ−Ａ−Ｂ、Ａ−Ａ−Ｃ、Ａ−Ｂ−Ｂ、Ａ−Ｃ−Ｃ、Ｂ−Ｂ、Ｂ−Ｂ−Ｂ、Ｂ−Ｂ−Ｃ、Ｃ−Ｃ、およびＣ−Ｃ−Ｃ、またはＡ、Ｂ、およびＣの任意の他の順序）を包含するものとする。
【０１７８】
[0188]  コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用コンピュータまたは専用コンピュータによってアクセスすることができる任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭもしくは他の光ディスクストレージ、磁気ディスクストレージもしくは他の磁気ストレージデバイス、または命令もしくはデータ構造の形態の所望のプログラムコード手段を搬送もしくは記憶するために使用され得、汎用もしくは専用コンピュータ、もしくは汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（ｄｉｓｋ）およびディスク（ｄｉｓｃ）は、ＣＤ、レーザーディスク（登録商標）（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）およびＢｌｕ−ｒａｙ（登録商標）ディスク（ｄｉｓｃ）を含み、ここで、ディスク（ｄｉｓｋ）は、通常、データを磁気的に再生し、ディスク（ｄｉｓｃ）は、データをレーザーで光学的に再生する。上記の組合せもコンピュータ可読媒体の範囲内に含まれる。
【０１７９】
[0189]  本明細書で使用される「に基づいて」という句は、条件の閉集合への参照として解釈されないものとする。たとえば、「条件Ａに基づいて」と説明した例示的な特徴は、本開示の範囲から逸脱することなく条件Ａと条件Ｂの両方に基づき得る。言い換えれば、本明細書で使用される「に基づいて」という句は、「に少なくとも部分的に基づいて」という句と同様にして解釈されるものとする。
【０１８０】
[0190]  添付の図では、同様の構成要素または特徴は同じ参照ラベルを有し得る。さらに、同じタイプの様々な構成要素は、参照ラベルの後に、ダッシュと、同様の構成要素の間を区別する第２のラベルとを続けることによって区別される場合がある。第１の参照ラベルのみが本明細書において使用される場合、その説明は、第２の参照ラベル、または他の後続の参照ラベルにかかわらず、同じ第１の参照ラベルを有する同様の構成要素のうちのいずれにも適用可能である。
【０１８１】
[0191]  添付の図面に関して本明細書に記載した説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明した技法の理解を与えるための具体的な詳細を含む。しかしながら、これらの技法は、これらの特定の詳細なしに実践され得る。いくつかの事例では、説明した例の概念を不明瞭にすることを回避するために、よく知られている構造およびデバイスがブロック図の形式で示される。
【０１８２】
[0192]  本明細書の説明は、当業者が本開示を作成または使用することができるように与えたものである。本開示への様々な変更は当業者には容易に明らかとなり、本明細書で定義された一般原理は、本開示の範囲から逸脱することなく他の変形形態に適用され得る。したがって、本開示は、本明細書で説明した例および設計に限定されず、本明細書で開示された原理および新規の特徴に合致する最も広い範囲を与えられるべきである。
【図１】
2020537406.tif 000003
【図２】
2020537406.tif 000004
【図３Ａ】
2020537406.tif 000005
【図３Ｂ】
2020537406.tif 000006
【図３Ｃ】
2020537406.tif 000007
【図３Ｄ】
2020537406.tif 000008
【図３Ｅ】
2020537406.tif 000009
【図３Ｆ】
2020537406.tif 000010
【図３Ｇ】
2020537406.tif 000011
【図３Ｈ】
2020537406.tif 000012
【図４】
2020537406.tif 000013
【図５】
2020537406.tif 000014
【図６】
2020537406.tif 000015
【図７】
2020537406.tif 000016
【図８】
2020537406.tif 000017
【図９】
2020537406.tif 000018
【図１０】
2020537406.tif 000019
【図１１】
2020537406.tif 000020
【図１２】
2020537406.tif 000021
【図１３】
2020537406.tif 000022
【図１４】
2020537406.tif 000023
【図１５】
2020537406.tif 000024
【図１６】
2020537406.tif 000025
【図１７】
2020537406.tif 000026
【国際調査報告】
2020537406.tif 000027
2020537406.tif 000028